(57)【要約】【課題】  就寝時や、車の運転等椅子に座っての作業中に、人体を指圧するように万遍なく刺激し、血行を良くして体の調子を良くする指圧効果用用具を提供しようとする。【解決手段】  枕であって、基板に該丈方向と直角方向の互いに平行な複数の長尺板部材から成る畝状突起が形成された枕基体、を含む指圧効果用用具であり、枕の上面に裏面を下にして敷いて用い、基布の表面に長手方向を寝る人の丈方向と直角方向にして複数の長尺弾性部材が列設された指圧効果用用具であり、枕体の上面に長手方向を寝る人の丈方向と直角方向にして長尺複数の弾性部材が列設され、枕体が、両脇部に配された固定板と、複数のユニット板が線状部材を介して面状を成すように連結されて成る上面部を有する指圧効果用用具であり、又、敷物であって、複数の棒状部材と、隣接の該棒状部材同士を連結する可撓性の連結部材とを備え、該棒状部材は互いに平行に隙間をあけて配され、該棒状部材を人の丈方向に配して例えば片側の太ももからしりにかけて下に敷いて用いられる指圧効果用用具である。【選択図】  図１
2005007142.tif 000002
【特許請求の範囲】
【請求項１】
枕として、又は腰の下に敷いて用いるものであって、基板と、該基板上に長手方向を使用時の人の丈方向と直角方向にして列設された複数の長尺部材とを含み、該長尺部材の上縁を連ねる上面部が使用時の人の丈方向にＬ形又は山形をなし、各前記長尺部材が、該長尺部材の上部に重畳された複数の弾性層を含んで構成される弾性部材を備える指圧効果用用具。
【請求項２】
枕として、又は腰の下に敷いて用いるものであって、基板と、該基板上に長手方向を使用時の人の丈方向と直角方向にして列設された複数の長尺部材とを含み、該長尺部材の上縁を連ねる上面部が使用時の人の丈方向にＬ形、谷形又は平坦形をなす指圧効果用用具。
【請求項３】
各前記長尺部材が、該長尺部材の上部に弾性部材を備える請求項２に記載の指圧効果用用具。
【請求項４】
少なくとも１の前記弾性部材が、重畳された複数の弾性層を含んで構成される請求項１又は３に記載の指圧効果用用具。
【請求項５】
枕として、又は腰の下に敷いて用いるものであって、
基板と該基板上に長手方向を使用時の人の丈方向と直角方向にして列設された複数の長尺部材とから成る枕基体と、
前記長尺部材の上面、又は隣設の一対の前記長尺部材の間に、着脱自在に装着される着脱長尺部材と
を備える指圧効果用用具。
【請求項６】
前記着脱長尺部材の上部に弾性部材を備える請求項５に記載の指圧効果用用具。
【請求項７】
前記着脱長尺部材の上面に、長尺角型材が長手方向を使用する人の丈方向と直交させて配された請求項５又は６に記載の指圧効果用用具。
【請求項８】
枕として、又は枕の上面に配されて用いるものであって、
基布と、
該基布の表面上に長手方向を使用時の人の丈方向と直角方向にして間隔をおいて列設された複数の長尺弾性部材と
を含む指圧効果用用具。
【請求項９】
板骨層を有し、少なくとも１の前記長尺弾性部材と前記基布とが該板骨層を介して結合された請求項８に記載の指圧効果用用具。
【請求項１０】
使用時の人の丈方向にみた両端部に位置する前記長尺弾性部材を除く１の前記長尺弾性部材の上面に該長尺弾性部材の該方向の幅より短幅の短幅長尺弾性部材が配されて該上面に該方向に段差が形成された請求項５乃至７のいずれかに記載の指圧効果用用具。
【請求項１１】
枕体と、該枕体の上面に長手方向を使用時の丈方向と直角方向にして列設された複数の長尺弾性部材とを含み、
前記枕体が、該枕体の両脇部に配された固定板と、複数のユニット板が線状部材を介して面状を成すように連結されて成り前記固定板間に架け渡されて前記枕体の上面部を構成する上面体とを含んで成る
指圧効果用用具。
【請求項１２】
枕状体を含んで成り、
該枕状体が、該枕体の両脇部に配された固定板と、
複数のユニット板及び該ユニット板より高さが高いユニット板が線状部材を介して面状を成すように連結されて前記固定板間に架け渡され前記枕状体の上面部を構成する上面体と
を含んで成り、
前記ユニット板より高さが高いユニット板が方向を使用時の人の丈方向と直角方向の複数列状に設されて前記面に複数の凸条が形成された指圧効果用用具。
【請求項１３】
複数の棒状部材と、隣接の該棒状部材同士を連結する可撓性の連結部材とを備え、該棒状部材は互いに平行に隙間をあけて配され、該棒状部材の長手方向と直交する方向の幅が１０〜３０ｃｍである指圧効果用用具。
【請求項１４】
上面にクッション性シートを備え、該クッション性シートに、隣接の前記棒状部材間の間隙に対応して、該間隙の上部の位置に、前記棒状部材の長手方向に沿ってスリットが設けられた請求項１３に記載の指圧効果用用具。
【請求項１５】
請求項１３又は１４に記載の指圧効果用用具と、該指圧効果用用具の側部に連結された板状クッション体とを含む複合指圧効果用用具。
【請求項１６】
複数の棒状部材と、隣接の該棒状部材同士を連結する可撓性の連結部材とを備え、該棒状部材が互いに平行に隙間をあけて配されてなる簾部と、該簾部の側部に接合されたマット部とを含んで成る複合指圧効果用用具。
【請求項１７】
就寝時に前記棒状部材を人の丈方向に配して敷いて用いられることを特徴とする請求項１４記載の複合指圧効果用用具。
【請求項１８】
枕として用いるものであって、基板と、該基板上に長手方向を使用時の人の丈方向と直角方向にして列設された複数の長尺部材とを含み、該長尺部材が見かけ密度０．２〜０．９の発泡樹脂を含んで成る指圧効果用用具。
【請求項１９】
前記長尺部材の上面に見かけ密度０．０１５〜０．３の発泡樹脂から成る弾性層を備える請求項１８に記載の指圧効果用用具。
【請求項２０】
前記長尺部材のうち、両端に位置する長尺部材を除く１の長尺部材の上面に、発泡樹脂から成り該１の長尺部材より短い幅の厚さが５〜１５ｍｍの長尺の段差用弾性部材が長手方向を該１の長尺部材の長手方向にして設けられた請求項１８又は１９に記載の指圧効果用用具。
【請求項２１】
枕クッション体と、幅が２〜４ｃｍ、厚さが０．４〜１ｃｍの１の長尺板状体を含んで構成され、前記枕クッション体は高さが５〜１５ｃｍ、使用時の人の丈方向の縦幅が１５〜３０ｃｍ、横幅が３０〜１２０ｃｍであり、前記枕クッション体の上面の前記丈方向にみた中間部に、長手方向を前記丈方向と直角方向にして前記長尺板状体が接合された指圧効果用用具。
【発明の詳細な説明】
【技術分野】
【０００１】
本発明は人体を指圧するように刺激し、血行を良くして体の調子を良くする、指圧効果用用具に関する。
【背景技術】
【０００２】
従来より、人体を指圧するように刺激して血行を良くすることを目的とした用具は、青竹踏みや、電動マッサージ用椅子など数多くある。しかし、人体は複雑で、刺激すべき部位が最適であるか定まらず、又、いたずらに同一個所を反復刺激しても必ずしも良い効果が得られなかった。又、意識的に指圧効果を与えるべき部位を刺激する操作をその操作にかかりきりに専任して長時間行うことは、多忙でその操作の時間が取れない場合が多く、実行が難しかった。
【０００３】
又、敷物に球体から成る突起物を配して、その敷物を使用することにより、この突起物で身体の一部を圧迫することも開示されている（例えば、特許文献１参照。）が、同一個所がスポット的に圧迫され続けるので、その圧迫個所の刺激が強すぎるおそれがある。
【０００４】
又、人体を指圧するように刺激して血行を良くすることを目的とした用具としては特殊形状の枕が種々開示されている。例えば、首筋のはりの解消を目的に一対の棒状の袋を平行に並べそれぞれにそば殻を入れた二山まくら（例えば、特許文献２参照。）や、複数本の筒状硬質棒を紐を介して連結させたもの（例えば、特許文献３参照。）や、使用するひとの丈方向と直交する方向に沿って凹状に湾曲する半筒状のもの（例えば、特許文献４参照。）が開示されている。しかし、これらはいずれも指圧すべきポイントを確実に捉える点で不十分であり、指圧効果は不満足である。
【０００５】
一方、近年来、労働や生活の形態が人体にストレスを生じさせやすくしている。緊張や、冷房の効いた部屋等での長時間のデスクワークにより首筋がこったり、腰痛になったり、長時間の自動車の運転で脚が痺れたり、つったり、腰痛をひきおこすることが増えてきた。又、長時間航空機のシートに座っていることによる、所謂エコノミー症候群が社会的な問題になっている。
【特許文献１】特開平  ６−１８１８３０号公報（特許請求の範囲）
【特許文献２】特開平  ９−３２７３５９号公報（特許請求の範囲）
【特許文献３】特開平１０−０９９１７６号公報（特許請求の範囲）
【特許文献４】特開平１０−２１５９９２号公報（特許請求の範囲）
【発明の開示】
【発明が解決しようとする課題】
【０００６】
本発明は、これらの問題点に鑑み、就寝時や、車の運転等椅子に座っての作業中に、無意識に万遍なく人体を指圧するように刺激し、血行を良くして体の調子を良くする指圧効果用用具を提供しようとする。更に、腰痛の予防、腰痛の緩和、ヒップアップに有効な指圧効果用用具を提供しようとする。
【課題を解決するための手段】
【０００７】
本発明の要旨とするところは、枕として、又は腰の下に敷いて用いるものであって、基板と、該基板上に長手方向を使用時の人の丈方向と直角方向にして列設された複数の長尺部材とを含み、該長尺部材の上縁を連ねる上面部が使用時の人の丈方向にＬ形、谷形又は平坦形をなす指圧効果用用具であることにある。
【０００８】
前記指圧効果用用具においては、少なくとも１の前記弾性部材が、重畳された複数の弾性層を含んで構成され得る。
【０００９】
又、本発明の要旨とするところは、枕として、又は腰の下に敷いて用いるものであって、
基板と該基板上に長手方向を使用時の人の丈方向と直角方向にして列設された複数の長尺部材とを含んで成る枕基体と、
前記長尺部材の上面、又は隣設の一対の前記長尺部材の間に、着脱自在に装着される着脱長尺部材と
を備える指圧効果用用具であることにある。
【００１０】
前記指圧効果用用具においては、各前記長尺部材の上縁を連ねる上面部が前記丈方向にＬ形、谷形又は平坦形をなし得る。
【００１１】
前記指圧効果用用具においては、前記着脱長尺部材の装着された状態の前記基板の下面からの高さが、８〜１２ｃｍ、最も首がわ寄りの前記長尺部材の前記基板の下面からの高さが５〜９ｃｍ、最も頭頂がわ寄りの前記長尺部材の前記基板の下面からの高さが６〜１０ｃｍであり、該着脱長尺部材の最上面の位置と前記枕基体の左端との間隔と、該最上面の位置と該枕基体の右端との間隔の比率が、４：５〜２．５：７．５であり得る。
【００１２】
前記指圧効果用用具においては、前記着脱長尺部材が長尺の弾性スペーサを介して前記基板上に載置されて装着され得る。
【００１３】
前記指圧効果用用具においては、前記弾性スペーサが前記基板上に着脱自在に装着され得る。
【００１４】
前記指圧効果用用具においては、前記着脱長尺部材の上部に弾性部材を備え得る。
【００１５】
前記指圧効果用用具においては、各前記長尺部材が、該長尺部材の上部に弾性部材を備え得る。
【００１６】
前記指圧効果用用具においては、少なくとも１の前記弾性部材が、重畳された複数の弾性層を含んで構成され得る。
【００１７】
前記指圧効果用用具においては、少なくとも１の前記弾性部材が、板骨層と前記弾性層とが重畳されて構成され得る。
【００１８】
前記指圧効果用用具においては、前記着脱長尺部材の上面に、長尺角型材が長手方向を使用する人の丈方向と直交させて配され得る。
【００１９】
又更に、本発明の要旨とするところは、枕として、又は枕の上面に配されて用いるものであって、
基布と、
該基布の表面上に長手方向を使用時の人の丈方向と直角方向にして間隔をおいて列設された複数の長尺弾性部材と
を含む指圧効果用用具であることにある。
【００２０】
前記指圧効果用用具は板骨層を有し得、少なくとも１の前記長尺弾性部材と前記基布とが該板骨層を介して結合され得る。
【００２１】
前記指圧効果用用具においては、少なくとも最前列及び最後列に位置する前記長尺弾性部材が、前記板骨層を介して前記基布に結合され得る。
【００２２】
前記指圧効果用用具においては、使用時の人の丈方向にみた両端部に位置する前記長尺弾性部材を除く１の前記長尺弾性部材の上面に該長尺弾性部材の該方向の幅より短幅の短幅長尺弾性部材が配されて該上面に該方向に段差が形成され得る。
【００２３】
前記指圧効果用用具においては、前記間隔にスペーサが配され得る。
【００２４】
又、本発明の要旨とするところは、枕体と、該枕体の上面に長手方向を使用時の丈方向と直角方向にして列設された複数の長尺弾性部材とを含み、
前記枕体が、該枕体の両脇部に配された固定板と、複数のユニット板が線状部材を介して面状を成すように連結されて成り前記固定板間に架け渡されて前記枕体の上面部を構成する上面体とを含んで成る
指圧効果用用具であることにある。
【００２５】
更に、本発明の要旨とするところは、枕状体を含んで成り、
該枕状体が、該枕体の両脇部に配された固定板と、
複数のユニット板及び該ユニット板より高さが高いユニット板が線状部材を介して面状を成すように連結されて前記固定板間に架け渡され前記枕状体の上面部を構成する上面体と
を含んで成り、
前記ユニット板より高さが高いユニット板が方向を使用時の人の丈方向と直角方向の複数列状に設されて前記面に複数の凸条が形成された指圧効果用用具であることにある。
【００２６】
更に又、本発明の要旨とするところは、複数の棒状部材と、隣接の該棒状部材同士を連結する可撓性の連結部材とを備え、該棒状部材は互いに平行に隙間をあけて配され、該棒状部材の長手方向と直交する方向の幅が１０〜３０ｃｍである指圧効果用用具であることにある。
【００２７】
前記指圧効果用用具においては、上面にクッション性シートを備え、該クッション性シートに、隣接の前記棒状部材間の間隙に対応して、該間隙の上部の位置に、前記棒状部材の長手方向に沿ってスリットが設けられ得る。
【００２８】
又更に、本発明の要旨とするところは、前記指圧効果用用具と、該指圧効果用用具の側部に連結された板状クッション体とを含む複合指圧効果用用具であることにある。
【００２９】
又、本発明の要旨とするところは、複数の棒状部材と、隣接の該棒状部材同士を連結する可撓性の連結部材とを備え、該棒状部材が互いに平行に隙間をあけて配されてなる簾部と、該簾部の側部に接合されたマット部とを含んで成る複合指圧効果用用具であることにある。又、該複合指圧効果用用具は、就寝時に前記棒状部材を人の丈方向に配して敷いて用いられ得る。
【００３０】
更に、本発明の要旨とするところは、枕として用いるものであって、基板と、該基板上に長手方向を使用時の人の丈方向と直角方向にして列設された複数の長尺部材とを含み、該長尺部材が見かけ密度０．２〜０．９の発泡樹脂を含んで成る指圧効果用用具であることにある。
【００３１】
又更に、本発明の要旨とするところは、枕として用いるものであって、基板と、該基板上に長手方向を使用時の人の丈方向と直角方向にして列設された複数の長尺部材とを含み、該長尺部材が見かけ密度０．２〜０．９の発泡樹脂層と、該発泡樹脂層の上面に接合された見かけ密度０．０１５〜０．３の発泡樹脂から成る弾性層とを含んで成る指圧効果用用具であることにある。
【００３２】
更に又、本発明の要旨とするところは、枕として用いるものであって、基板と、該基板上に長手方向を使用時の人の丈方向と直角方向にして列設された複数の長尺部材とを含み、少なくとも１の該長尺部材が、基盤長尺層と、該基盤長尺層の上面に接合された見かけ密度０．０１５〜０．３の発泡樹脂から成る第一の弾性層と、該第一の弾性層の上面に貼合された薄板層と該薄板層の上面に接合された見かけ密度０．０１５〜０．２の発泡樹脂から成る第二の弾性層とを含んで成る指圧効果用用具であることにある。
【００３３】
前記指圧効果用用具においては、前記長尺部材の上縁を連ねる上面部が使用時の人の丈方向に谷形、山形又は平坦形をなし得る。
前記指圧効果用用具においては、前記長尺部材のうち、両端に位置する長尺部材を除く１の長尺部材の上面に、発泡樹脂から成り該１の長尺部材より短い幅の厚さが５〜１５ｍｍの長尺の段差用弾性部材が長手方向を該１の長尺部材の長手方向にして設けられ得る。
【００３４】
前記指圧効果用用具においては、互いに隣接の前記長尺部材の間に間隔が設けられ得る。
【００３５】
前記指圧効果用用具においては、互いに隣接の前記長尺部材が隙間なく配設され得る。
【００３６】
又、本発明の要旨とするところは、枕クッション体と、幅が２〜４ｃｍ、厚さが０．４〜１ｃｍの１の長尺板状体を含んで構成され、前記枕クッション体は高さが５〜１５ｃｍ、使用時の人の丈方向の縦幅が１５〜３０ｃｍ、横幅が３０〜１２０ｃｍであり、前記枕クッション体の上面の前記丈方向にみた中間部に、長手方向を前記丈方向と直角方向にして前記長尺板状体が接合された指圧効果用用具であることにある。
【００３７】
前記指圧効果用用具においては、前記枕クッション体が、見かけ密度０．２〜０．９の発泡樹脂を含んで成り、上面に見かけ密度０．０１５〜０．３の発泡樹脂から成る表面層を備え得る。
【発明の効果】
【００３８】
本発明の指圧効果用用具は、就寝時や、車の運転等椅子に座っているときに、体の丈方向にそって万遍なく無意識に指圧効果を与えるべき部位を線状に刺激し、血行を良くして体の調子を良くする。
【００３９】
本発明の敷物として使用する指圧効果用用具は、家庭内や事務作業や車の運転、航空機の座席等の椅子に座っての長時間の動作中に、骨盤の下方の人体の奥の部分を万遍なく無意識に刺激し、血行を良くして体の調子を良くする。これにより、骨盤のうっ血の解消に寄与し、使用する人に元気を与える。又、長期の使用によりヒップアップの効果が得られる。
【００４０】
本発明の就寝時に敷物として使用する指圧効果用用具は、骨盤の奥の部分を万遍なく無意識に刺激し、血行を良くして体の調子を良くする。これにより、骨盤のうっ血の解消に寄与する。又、長期の使用によりヒップアップの効果が得られる。
【００４１】
本発明の枕として使用する指圧効果用用具は、後頭部もしくは首部を、丈方向と直角方向に複数の間隔をおいた線状に圧迫し、通常の枕に比較して効果的なマッサージ効果をもたらす。
【００４２】
本発明の枕として使用する指圧効果用用具は、後頭部もしくは首部を圧迫する板状部材の間に間隙を有し、その間隙を空気の流れが通過して、通常の枕に比較して後頭部もしくは首部を冷却する機能を兼ね備える。
【００４３】
本発明の枕として使用する指圧効果用用具は、使用状況や使用する人の体調や使い勝手にあわせてサイズを容易に変えることが出来る。
【００４４】
本発明の枕として使用する指圧効果用用具は、通常の枕に比較して人体の首から上の血行をよくすることに寄与する。これにより、通常の枕に比較して就寝時にいわゆる口呼吸する状態を改善して正常な呼吸状態を実現することに寄与する。又、通常の枕に比較して偏頭痛の傾向にある人が使用すると、偏頭痛の緩和に寄与する。
【００４５】
本発明の枕として使用する指圧効果用用具は、通常の枕に比較して人体の首から上の血行をよくすることに寄与する。通常の枕に比較して虫歯の痛みがこの血行の促進により緩和され、知覚過敏の状態が緩和される。
【００４６】
本発明の枕として使用する指圧効果用用具は、人体の首から上の血行をよくすることに寄与し、通常の枕に比較してこの部分の新陳代謝の促進に寄与する。
【００４７】
本発明の複合指圧効果用用具は巻取ったり折りたたむことが出来るので、携帯時にかさばらず、携帯に便利である。
【発明を実施するための最良の形態】
【００４８】
本発明者は、互いに平行な複数の畝状突起を上面部に有する基体の、その上面部を、直接もしくは適当なクッション材を介して、身体の指圧効果を与えるべき部位に圧接することにより、良好な指圧効果が得られることを見出し、更に検討を進め本発明を完成するに至った。
【００４９】
本発明に係る態様を図面に基づいて詳しく説明する。なお、本明細書においては、各図にわたって記される同じ符号は同一又は同様の部材やものを示す。図１の本発明の指圧効果用用具２は枕として構成され、互いに平行な複数の畝状突起４を上面部１６に有する枕基体６から成る。枕基体６は、基板８と、基板８の面１０の上に互いに平行に立設する複数の長尺部材１２から成り、長尺部材１２の上縁部１４が畝状突起４を構成している。
【００５０】
指圧効果用用具２は、枕として図２に示すような態様で、長尺部材１２の長手方向が寝る人の丈方向と直角な方向に向くようにして使用される。即ち、畝状突起４の長手方向が寝る人の丈方向と直角な方向に向くようにして使用される。これにより、畝状突起４が人の丈方向と直角な方向に直線状に人の頭部から首にかけてクッション材９を介して当接するようになっている。基板８と長尺部材１２は、木、樹脂等の剛な部材を主体に構成される。特に、人の頭頂側からみて最後列の長尺部材１２ｒが効率的に首部又はその近傍に当接し首部又はその近傍を有効に刺激する。長尺部材１２は、個々に高さＨが異なり、複数の畝状突起４の頂上部がなだらかに谷形に連なるように配置されている。これにより、畝状突起４が人の頭部から首にかけてほぼ均等に当接するようになっている。基板８に立設する長尺部材１２は、上面が、長手方向中央部から端部にかけてなだらかに傾斜して、凸もしくは凹状となっていてもよい。
【００５１】
このようにして使用することにより、就寝時に、人の頭部を頭頂から首部にかけて均等に刺激し、かつ、就寝時に、人の頭部の後頭筋や、首部の半棘筋、板状筋、僧帽筋等を適度に線状に刺激し、血行を良くして体の調子を良くする。又、隣接の畝状突起４の間には、就寝時に頭や首部に当接しない部位ができ、この部分では血液の流れが妨げられない。
【００５２】
クッション材９は、厚さ０．５〜５ｃｍほどの矩形のタオル状もしくは座布団状のものであることが、適度のクッション性をもたらし好ましい。クッション材９は、弾性を有するスポンジシートから作られてもよい。フェルトから作られてもよい。タオル等の布地を１枚もしくは複数枚かさねて用いてもよい。側地に中入れ綿やスポンジ等の詰め物を詰めた薄い布団状のマット状物であってもよい。その他衝撃を和らげるシートから成るものであれば素材は問わない。クッション材９は、ゴムやウレタンゴムや、その他の合成ゴムから成るスポンジのシートを側地で包んだものであってもよい。クッション材９は、厚さ０．５〜１ｃｍであることが首部への適度な刺激にとって更に好ましい。
【００５３】
図３（ａ）に、図１における枕基体６のＡ−Ａ´方向（人の丈方向）の断面図を示す。基板８に立設する長尺部材１２は、この断面でみて上縁の角部２２が半円形に面取りされている。
【００５４】
図３（ａ）において、畝状突起４の幅、即ち、長尺部材１２の幅Ｗは、２０〜３５ｍｍが好ましい。２３〜３０ｍｍであることが、刺激が適度であり、更に好ましい。枕の高さ、即ち、基板８の下底から、最も頭頂側（図面視左側）の長尺部材１２（長尺部材１２ｑ）及び最も首部側（図面視右側）の長尺部材１２（長尺部材１２ｒ）の頂上までの高さＨＨは、４５〜８０ｍｍであることが好ましい。５０〜７０ｍｍであることが、最適の寝心地が得られ更に好ましい。長尺部材１２の間隔Ｐは、１５〜２５ｍｍであることが良好な寝心地が得られ好ましい。隣接の各長尺部材１２の間に空隙１７があることにより、空隙１７を空気が通過するので、本発明の指圧効果用用具２は、就寝時に頭部を冷却し、所謂頭寒足熱の効果がある。
【００５５】
長尺部材１２ｑに隣接の長尺部材１２ｔは、長尺部材１２ｑより４〜６ｍｍ低いことが、寝たときに頭部が安定し好ましい。長尺部材１２ｔを除く中間に位置する長尺部材１２ｓは、長尺部材１２ｔより更に１０〜１５ｍｍ低いことが、寝たときに頭部が安定し、かつ、首部への刺激が心地よくなされ好ましい。
【００５６】
又、図３（ｂ）に示すように、枕基体６ｂが図３（ａ）に示す長尺部材１２ｑ及び長尺部材１２ｔのかわりに，上縁に段差１５を有する板状部材１１ｃを含んで構成されていてもよい。
【００５７】
又、図４（ａ）の断面模式図に示す枕基体６ａ（指圧効果用用具２ａ）のように、長尺部材１２の上縁部１４即ち畝状突起４の上面にクッション材９のかわりに、もしくはクッション材９と併用で長尺の弾性部材９ａを貼り付けてもよい。
【００５８】
クッション材９、弾性部材９ａ等は、畝状突起４と人体の間に介在して、人体への畝状突起４の当接圧力を分散させて、当たりを和らげる。弾性部材９ａは、合成樹脂の発泡体から成ることが好ましい。特に、低発泡率の発泡体から成ることが好ましい。例えばポリウレタン系、ポリオレフィン系、ポリエステル系、ポリエーテル系、合成ゴム系、ＥＶＡ系等の樹脂の発泡体から成ることが好ましく、その圧縮硬さ（ＪＩＳ  Ｋ６７６７に準ずる）は０．２〜３．５Kｇｆ／ｃｍ２、見かけ密度（ＪＩＳ  Ｋ６７６７に準ずる）は０．０２５〜０．１０（ｇ／ｃｍ３）であることが適度な刺激効果を得るうえで好ましい。弾性部材９ａの高さは、長尺部材１２の弾性部材９ａを含めたトータルの高さの１／３〜２／３であることが好ましい。
【００５９】
更に、図４（ｂ）の断面模式図に示す指圧効果用用具２ａａのように、弾性部材９ａを上部に備える４個の長尺部材１２ｘｘ、１２ｙｙ、１２ｚｚ、１２ｐｐが基板８上に配置されてもよい。首側に弾性部材９ａを含めたトータルの高さの異なる長尺部材１２ｘｘと長尺部材１２ｙｙが配置されて、外側の長尺部材１２ｙｙが内側の長尺部材１２ｘｘより弾性部材９ａを含めたトータルの高さが高く、かつ、両者が横方向にほぼ密着している構成が挙げられる。又、指圧効果用用具２ａａにおいては、頭頂側の長尺部材１２ｐｐがその内側の長尺部材１２ｚｚより弾性部材９ａを含めたトータルの高さが高くなっている。
【００６０】
又、図４（ｃ）の断面模式図に示す指圧効果用用具２ａｂのように、弾性部材９ａを上部に備える５個の長尺部材１２ｘ、１２ｙ、１２ｚ、１２ｚ、１２ｒｒが基板８上に配置されて、首側に弾性部材９ａを含めたトータルの高さの異なる長尺部材１２ｘと長尺部材１２ｙが配置され、外側の長尺部材１２ｙが内側の長尺部材１２ｘより弾性部材９ａを含めたトータルの高さが高く、かつ、両者が横方向にほぼ密着している構成が挙げられる。又、指圧効果用用具２ａｂにおいては、頭頂側の長尺部材１２ｒｒがその内側の長尺部材１２ｚより弾性部材９ａを含めたトータルの高さが高くなっている。
【００６１】
図４（ｂ）、図４（ｃ）の態様は、図４（ａ）の態様より更に寝た状態での耳の下の首部を刺激する効果に優れ、鼻詰まりの症状の緩和に有効である。
【００６２】
又、枕基体６は、図５の断面図に示すように、基板８の下に着脱自在のかさ上げ板２６を備えていてもよい。厚さＴの異なるかさ上げ板２６を、使用する人に応じて替えることにより、その人に合った最適の寝心地が得られる。
【００６３】
本発明の更に他の望ましい態様として、図４に示す指圧効果用用具２ａの弾性部材９ａの上面に帯状の第二の弾性部材１１ａが重畳された図６の指圧効果用用具２ｂが挙げられる。このような態様により、頭部及び首部への刺激がマイルドなものとなり、刺激効果とともに快適な安眠効果が得られる。
【００６４】
又、本発明の又更に別の望ましい態様として図７の断面模式図に示す指圧効果用用具２ａｄが挙げられる。指圧効果用用具２ａｄにおいては、弾性部材９ａを上部に備える５個の長尺部材１２ｋｘ、１２ｋｙ、１２ｋｚ、１２ｋｐ、１２ｋｑが基板８上に配置されて枕基体６ｋを構成する。頭頂側の外側の長尺部材１２ｋｙはその内側の隣接の長尺部材１２ｋｘより弾性部材９ａを含めたトータルの高さが高く、かつ、両者が横方向にほぼ密着している。首側の最も外側の長尺部材１２ｋｐがその内側の隣接の長尺部材１２ｋｚより弾性部材９ａを含めたトータルの高さが高くなっている。更に、それぞれの弾性部材９ａの上面がそれぞれ帯状の第二の弾性部材１１ａで覆われ、枕の上面部即ち枕基体６ｋの上面部は、寝る人の丈方向と平行な断面でみて略谷形の形状をなしている。
【００６５】
又、長尺部材１２ｋｐの隣で内側の長尺部材１２ｋｚと、更にその内側の長尺部材１２ｋｑとの間に、着脱自在な着脱長尺部材１３ｋｋが配置される。着脱長尺部材１３ｋｋは、装着された状態で、長尺部材１２ｋｐの弾性部材９ａ及び第二の弾性部材１１ａを含めたトータルの高さより高さが高い。又、長尺部材１２ｋｙの弾性部材９ａ及び第二の弾性部材１１ａを含めたトータルの高さより高さが高い。着脱長尺部材１３ｋｋは、上面に第二の弾性部材１１ａを備えている。着脱長尺部材１３ｋｋが装着された状態の指圧効果用用具２ａｄは、上面が寝る人の丈方向と平行な断面でみて略山形の形状をなしている。
【００６６】
着脱長尺部材１３ｋｋは、長尺部材１２ｋｚと長尺部材１２ｋｑとの間の間隙に、長尺部材１２ｋｚと長尺部材１２ｋｑとに挟まれて配置される。着脱長尺部材１３ｋｋは、長尺のベース１３０とベース１３０の上方に、自身の長手方向をベース１３０の長手方向と同じくして設けられる長尺の首当て部１３４を含んで構成される。ベース１３０と、首当て部１３４とは、長尺の連結部１３６を介して一体に成形されている。ベース１３０は（長手方向及び高さ方向と直交する）幅が長尺部材１２ｋｚと長尺部材１２ｋｑとの間の間隙にほぼ等しく、長尺部材１２ｋｚと長尺部材１２ｋｑとに挟まれて嵌合され配置される。連結部１３６は薄板状であり、長手方向をベース１３０の長手方向と同じくしてベース１３０の長手方向にわたってベース１３０の上面からその面を自身の面を垂直にして立設される。着脱長尺部材１３ｋｋが装着された状態で、連結部１３６は、長尺部材１２ｋｚ、長尺部材１２ｋｑのそれぞれの最上部に配された第二の弾性部材１１ａのあいだに挿入され、この第二の弾性部材１１ａにより挟まれる。首当て部１３４の（長手方向及び高さ方向と直交する）幅は、長尺部材１２ｋｚや長尺部材１２ｋｑの幅に等しいかやや大きい。
【００６７】
図８に示すように、指圧効果用用具２ａｄから着脱長尺部材１３ｋｋを矢印の方向に横にスライドして引き抜ぬいたり、指圧効果用用具２ａｄへ着脱長尺部材１３ｋｋを装着出来る。
【００６８】
着脱長尺部材１３ｋｋが装着された指圧効果用用具２ａｄは、着脱長尺部材１３ｋｋの上面が首の裏側の部分にあたるようにしてテレビ鑑賞、読書等をしてくつろぎながら、あるいは首を動かしてコリを取る動作をしながら使用することにより、首部に効果的な刺激を与えることが出来る。着脱長尺部材１３ｋｋが装着されない状態の指圧効果用用具２ａｄは、通常の枕として使用される。このように、一つの枕を目的により使い分け出来る。
【００６９】
本発明の他の態様として、図９の断面模式図に示す指圧効果用用具２ｐｄが挙げられる。指圧効果用用具２ｐｄにおいては、長尺部材１２ｐｘ、１２ｐｙ、１２ｐｚ、１２ｐａ、１２ｐｂが基板８ｐにこの順で間隔をおいて互いに平行に配置されて枕基体６ｐｋを構成する。各長尺部材の長手方向は寝る人の丈方向と直交する。
【００７０】
長尺部材１２ｐｘ、１２ｐｙ、１２ｐｚ、１２ｐａ、１２ｐｂはそれぞれ長尺角材１２ｑｘ、１２ｑｙ、１２ｑｚ、１２ｑａ、１２ｑｂを含んでなり、それぞれの上部に弾性部材９ｐＬ、９ｐＲ、９ｐｄ、９ｐａ、９ｐｂを備える。長尺角材１２ｑｙ、１２ｑｚは互いに隙間なく密着していてもよい。長尺部材１２ｐｘは首側部材１３ｐｐを構成する。
【００７１】
長尺部材１２ｐｂと長尺部材１２ｐａとの間の隙間５０ｐｐに着脱自在な着脱長尺部材１３ｐｋが配置される。長尺部材１２ｐｙは枕基体６ｐｋの図面視右端に位置する。この位置が着脱長尺部材１３ｐｋが装着された状態で人が就寝したときの頭頂側となる使用態様が好ましい。このとき、長尺部材１２ｐｘは枕基体６ｐｋの図面視左端に位置し、この位置が着脱長尺部材１３ｐｋが装着された状態で人が就寝したときの首側となる。
【００７２】
着脱長尺部材１３ｐｋは、隙間５０ｐｐに挿入される挿入部６２ｐｐと、挿入部６２ｐｐの上方に位置する刺激体部６４ｐｐとから構成される。刺激体部６４ｐｐの基体部７０ｐｐと、挿入部６２ｐｐとは一体に形成されていてもよい。刺激体部６４ｐｐの上面、即ち、着脱長尺部材１３ｐｋの上面は、寝る人の丈方向に湾曲する上に凸の曲面となっている。基体部７０ｐｐも寝る人の丈方向に湾曲する上に凸の曲面となっている。又、挿入部６２ｐｐの下端面に長尺のクッションシート６３ｐｐが貼着固定されていてもよい。着脱長尺部材１３ｐｋは、図８に示す着脱長尺部材１３ｋｋと同様の態様で着脱される。刺激体部６４ｐｐは、基体部７０ｐｐと基体部７０ｐｐの上面に貼着された弾性部材９ｐｃから成る。
【００７３】
着脱長尺部材１３ｐｋが装着された状態で、挿入部６２ｐｐと長尺角材１２ｑａとの間及び／又は挿入部６２ｐｐと長尺角材１２ｑｂとの間には間隙１５ｋｋがあることが好ましい。これにより、装着された着脱長尺部材１３ｐｋが図面視左右に揺動可能となり、就寝時の頭の動きによる刺激が緩和されて好ましい。
【００７４】
弾性部材９ｐＬの最上面と、弾性部材９ｐＲの最上面とは略面一の高さとなる。着脱長尺部材１３ｐｋは、枕基体６ｐｋに装着された状態で、最上面５７ｐが、弾性部材９ｐＬの最上面や弾性部材９ｐＲの最上面の高さより高い。
【００７５】
弾性部材９ｐＬ、９ｐＲ、９ｐｄ、９ｐａ、９ｐｂ、９ｐｃは、それぞれが枕基体６ｐｋの高さ方向に積層された複数の弾性を有する部材（弾性層）で構成されている。弾性部材９ｐＬ、９ｐＲ、９ｐｄ、９ｐａ、９ｐｂ、９ｐｃは、それぞれが一体に成形されていてもよい。
【００７６】
弾性部材９ｐＬは第１弾性部材５０１、第２弾性部材５０２、第３弾性部材５０３が上からこの順に積層されて成る。弾性部材９ｐＲは第１弾性部材５１１、第２弾性部材５１２、第３弾性部材５１３が上からこの順に積層されて成る。弾性部材９ｐｄは第１弾性部材５２１、第２弾性部材５２２が上からこの順に積層されて成る。弾性部材９ｐａは第１弾性部材５３１、第２弾性部材５３２が上からこの順に積層されて成る。弾性部材９ｐｂは第１弾性部材５４１、第２弾性部材５４２が上からこの順に積層されて成る。弾性部材９ｐｃは第１弾性部材５５１、第２弾性部材５５２、第３弾性部材５５３が上からこの順に積層されて成る。これらの積層される各弾性部材の厚さは約７ｍｍであることが好ましい。
【００７７】
弾性部材は各層がそれぞれ異なる圧縮硬さを有することが好ましい。上方ほど低い圧縮硬さを有することが更に好ましい。長尺角材１２ｑｘ、１２ｑｙ、１２ｑｚ、１２ｑａ、１２ｑｂ、基体部７０ｐｐ、挿入部６２ｐｐ、基板８ｐは金属、樹脂又は木材から成ることが好ましい。木材はヒノキを含むことが芳香を放ち、睡眠時の精神安定効果があり好ましい。長尺角材１２ｑｘ、１２ｑｙ、１２ｑｚ、１２ｑａ、１２ｑｂは、硬質の樹脂発泡体から成るものであっても適度な弾性があり好ましい。
【００７８】
弾性部材９ｐＲの上面は、弾性部材９ｐｄの上面より高い位置にある。弾性部材９ｐｄの上面は、弾性部材９ｐａの上面より高い位置にある。弾性部材９ｐａの上面は、弾性部材９ｐｂの上面より高い位置にある。この構成により、枕基体６ｐｋの上面部を連ねると、寝る人の丈方向にみて略谷形の形状をなしている。
【００７９】
本発明の指圧効果用用具２ｐｄにおいては、着脱長尺部材１３ｐｋが装着されない状態で、長尺部材１２ｐｙが人が就寝したときの首側に位置し、長尺部材１２ｐｘが頭頂側に位置することが好ましい。即ち、指圧効果用用具２ｐｄは、着脱長尺部材１３ｐｋが装着されたときと装着されないときとで方向を逆にして使用されることが好ましい。
【００８０】
指圧効果用用具２ｐｄは枕として用いられる。図１０に指圧効果用用具２ｐｄを着脱長尺部材１３ｐｋが装着された状態で使用する態様を示す。着脱長尺部材１３ｐｋが人の頭部の、頭頂部と首とのあいだの凹部にあてがわれてその部分が適度に刺激されて好ましい。
【００８１】
指圧効果用用具２ｐｄの各所の寸法あるいは相対値は次に記述の値であることが就寝時の頭部及び首部への適度な刺激にとって好ましい。又（  ）内の値であることが更に好ましい。
指圧効果用用具２ｐｄの寝る人の丈方向の幅ＰＴ；１７〜２１（１８〜２０）ｃｍ
着脱長尺部材１３ｐｋの最上面５７ｐの位置と枕基体６ｐｋの図面視左端との間隔ＰＬと、最上面５７ｐの位置と枕基体６ｐｋの図面視右端との間隔ＰＲとの比率；５：５〜２：８（４：５〜２．５：７．５）
長尺角材１２ｑｘの高さＰＭＲ；３．５〜５．５ｃｍ（４．０〜５．０ｃｍ）
弾性部材９ｐＬの厚さ；１〜６ｃｍ（２〜４ｃｍ）
長尺角材１２ｑｙの寝る人の丈方向の幅ＰＷＬ；２．５〜５ｃｍ（３〜４ｃｍ）
基体部７０ｐｐの寝る人の丈方向の幅ＰＷＷ；４〜７ｃｍ（４．５〜５．５ｃｍ）
長尺部材１２ｐｘの高さＰＨＴ；４．５〜９．５ｃｍ（５〜９ｃｍ）
長尺部材１２ｐｙの高さＰＨＬ；５〜１０ｃｍ（６〜１０ｃｍ）
着脱長尺部材１３ｐｋの装着された状態の高さＰＴＴ；７〜１２ｃｍ（８〜１２ｃｍ）
【００８２】
着脱長尺部材１３ｐｋは、図１１に示すように、高さ調整スペーサ６５ｐｐを着脱長尺部材１３ｐｋと基板８ｐとの間に挿入してセットすることにより着脱長尺部材１３ｐｋの装着された状態の高さＰＴＴを変えることが出来る。高さ調整スペーサ６５ｐｐの形状を図１２（ａ）に示す。高さ調整スペーサ６５ｐｐは四角柱状の部材から成る。高さ調整スペーサ６５ｐｐは弾性を有する部材から成ることが好ましい。あるいは、図１２（ｂ）に示すように、一対の四角柱状の弾性体（弾性層）６７ｐｐ、６７ｐｐを板部材（板骨層）６９ｐｐでサンドイッチ状に挟んだ形態のものが、曲げにくく取り扱い容易でかつ圧縮弾性に富み、又、クッション性がながもちして好ましい。
【００８３】
着脱長尺部材１３ｐｋが装着された指圧効果用用具２ｐｄは、着脱長尺部材１３ｐｋの上面が首の裏側の部分にあたるようにしてテレビ鑑賞、読書等をしてくつろぎながら、あるいは首を動かしてコリを取る動作をしながら使用することにより、首部に効果的な刺激を与えることが出来る。又、着脱長尺部材１３ｐｋが装着された指圧効果用用具２ｐｄは、通常の枕として使用される。種類の異なった（例えば高さ、幅、クッション性の異なった）着脱長尺部材１３ｐｋを各種用意しておき、そのなかから目的や気分に応じて、選択し装着して用いることが出来る。
【００８４】
又、図１３に示す指圧効果用用具２ｐｄｎのように、着脱長尺部材１３ｐｋには最上面に厚さ７ｍｍほどの上面弾性部材５４４が貼着されていることがさらに好ましい。上面弾性部材５４４は着脱長尺部材１３ｐｋの凸形上表面の人が寝る方向にみたほぼ中央の部分から図面視左にかけて貼着される。これによりその中央の部分に、上面弾性部材５４４の端縁による段差が生じ、この段差が人の首部に効果的な刺激を与える。
【００８５】
本発明の更に又他の態様として、図１４の断面模式図に示す指圧効果用用具２ｈｄが挙げられる。指圧効果用用具２ｈｄにおいては、長尺部材１２ｈｘ、１２ｈｙが基板８ｈに間隔をおいて互いに平行に配置されて枕基体６ｈｋを構成する。各長尺部材の長手方向は寝る人の丈方向と直交する。
【００８６】
長尺部材１２ｈｘ、１２ｈｙはそれぞれ長尺角材１２ｊｘ、１２ｊｙを含んでなり、それぞれの上部に弾性部材９ｈＬ、９ｈＲを備える。長尺部材１２ｈｘは首側部材１３ｈｈを構成する。
【００８７】
長尺部材１２ｈｘと長尺部材１２ｈｙとの間に着脱自在な着脱長尺部材１３ｈｋが配置される。長尺部材１２ｈｙは枕基体６ｈｋの図面視右端に位置する。この位置が着脱長尺部材１３ｈｋが装着された状態で人が就寝したときの頭頂側となる使用態様が好ましい。このとき、長尺部材１２ｈｘは枕基体６ｈｋの図面視左端に位置し、この位置が着脱長尺部材１３ｈｋが装着された状態で人が就寝したときの首側となる。
【００８８】
着脱長尺部材１３ｈｋは、基板８ｈ上に間隔をおいて立設された一対の案内板１２ｊｂ、１２ｊｂの間に挿入される挿入部６２ｈｈと、挿入部６２ｈｈの上方に位置する刺激体部６４ｈｈとで構成される。刺激体部６４ｈｈの基体部７０ｈｈと挿入部６２ｈｈとは一体に形成されている。刺激体部６４ｈｈの上面、即ち、着脱長尺部材１３ｈｋの上面は、寝る人の丈方向に湾曲する上に凸の曲面となっている。基体部７０ｈｈも寝る人の丈方向に湾曲する上に凸の曲面となっている。又、挿入部６２ｈｈの下端面に長尺のクッションシート６３ｈｈが貼着固定されていてもよい。着脱長尺部材１３ｈｋは、図８に示す着脱長尺部材１３ｋｋと同様の態様で着脱される。刺激体部６４ｈｈは、基体部７０ｈｈと基体部７０ｈｈの上面に貼着された弾性部材９ｈｃから成る。弾性部材９ｈｃは基体部７０ｈｈから、図面視左右（寝る人の丈方向）にそれぞれ張り出している。
【００８９】
着脱長尺部材１３ｈｋが装着された状態で、挿入部６２ｈｈと長尺角材１２ｊｂとの間には間隙１５ｋｋがあることが好ましい。これにより、装着された着脱長尺部材１３ｈｋが図面視左右に揺動可能となり、就寝時の頭の動きによる刺激が緩和されて好ましい。
【００９０】
弾性部材９ｈＬの最上面は、弾性部材９ｈＲの最上面より低い位置にある。着脱長尺部材１３ｈｋは、枕基体６ｈｋに装着された状態で、最上面５７ｈが、弾性部材９ｈＬの最上面や弾性部材９ｈＲの最上面の高さより高い。
【００９１】
弾性部材９ｈＬ、９ｈＲ、９ｈｃは、それぞれが枕基体６ｈｋの高さ方向に積層された複数の弾性を有する部材（弾性層）で構成されている。弾性部材９ｈＬ、９ｈＲ、９ｈｃは、それぞれが一体に成形されていてもよい。
【００９２】
弾性部材９ｈＬは第１弾性部材５７１、第２弾性部材５７２、第３弾性部材５７３が上からこの順に積層されて成る。弾性部材９ｈＲは第１弾性部材５８１、第２弾性部材５８２が上からこの順に積層されて成る外側弾性部材１９ｈＲと、第１弾性部材５９１、第２弾性部材５９２が上からこの順に積層されて成る外側弾性部材２０ｈＲとが左右に並列されて成る。弾性部材９ｈｃは第１弾性部材９５１、第２弾性部材９５２、第３弾性部材９５３が上からこの順に積層されて成る。これらの積層される各弾性部材の厚さは約７ｍｍであることが好ましい。
【００９３】
弾性部材の各層がそれぞれ異なる圧縮硬さを有することが好ましい。上方ほど低い圧縮硬さを有することが更に好ましい。長尺角材１２ｊｘ、１２ｊｙ、基体部７０ｈｈ、挿入部６２ｈｈ、基板８ｈは金属、樹脂又は木材から成ることが好ましい。木材はヒノキを含むことが芳香を放ち、睡眠時の精神安定効果があり好ましい。長尺角材１２ｊｘ、１２ｊｙは、硬質の樹脂発泡体から成るものであっても適度な弾性があり好ましい。
【００９４】
この構成により、着脱長尺部材１３ｈｋが枕基体６ｈｋに装着された状態で指圧効果用用具２ｈｄの上面を連ねると、寝る人の丈方向にみてなだらかな略山形の形状をなしている。
【００９５】
指圧効果用用具２ｈｄは枕として用いられる。指圧効果用用具２ｈｄの各所の寸法あるいは相対値は次に記述の値であることが就寝時の頭部及び首部への適度な刺激にとって好ましい。又（  ）内の値であることが更に好ましい。
指圧効果用用具２ｈｄの寝る人の丈方向の幅ＨＴＨ；１７〜２１（１８〜２０）ｃｍ
着脱長尺部材１３ｈｋの最上面５７ｈの位置と枕基体６ｈｋの図面視左端との間隔ＨＬと、最上面５７ｈの位置と枕基体６ｈｋの図面視右端との間隔ＨＲとの比率；５：５〜２：８（４：５〜２．５：７．５）
長尺角材１２ｊｘの高さＨＪＲ；３．５〜５．５ｃｍ（２．５〜３．５ｃｍ）
弾性部材９ｈＬの厚さ；１〜６ｃｍ（２〜４ｃｍ）
長尺角材１２ｊｙの寝る人の丈方向の幅ＨＷＬ；５〜８ｃｍ（５．５〜６．５ｃｍ）
基体部７０ｈｈの寝る人の丈方向の幅ＨＨＷ；４〜７ｃｍ（５〜６ｃｍ）
長尺部材１２ｈｘの高さＨＨＴ；４．５〜９．５ｃｍ（５〜９ｃｍ）
長尺部材１２ｈｙの高さＨＨＬ；５〜１１ｃｍ（６〜１０ｃｍ）
着脱長尺部材１３ｈｋの装着された状態の高さＨＧＨ；７〜１２ｃｍ（８〜１２ｃｍ）
【００９６】
着脱長尺部材１３ｈｋは、図１２に示されるような高さ調整スペーサを着脱長尺部材１３ｈｋと基板８ｈとの間に挿入してセットすることにより着脱長尺部材１３ｈｋの装着された状態の高さＨＧＨを変えることが出来る。高さ調整スペーサは四角柱状の部材を横にして用いることが好ましい。高さ調整スペーサは弾性を有する部材から成ることが好ましい。あるいは、一対の四角柱状の弾性体を板部材でサンドイッチ状に挟んだ形態のものが、曲げにくく取り扱い容易でかつ圧縮弾性に富み、又、クッション性がながもちして好ましい。
【００９７】
着脱長尺部材１３ｈｋが装着された指圧効果用用具２ｈｄは、着脱長尺部材１３ｈｋの上面が首の裏側の部分にあたるようにしてテレビ鑑賞、読書等をしてくつろぎながら、あるいは首を動かしてコリを取る動作をしながら使用することにより、首部に効果的な刺激を与えることが出来る。又、着脱長尺部材１３ｈｋが装着された指圧効果用用具２ｈｄは、通常の枕として使用される。種類の異なった（例えば高さ、幅、クッション性の異なった）着脱長尺部材１３ｈｋを各種用意しておき、そのなかから目的や気分に応じて、選択し装着して用いることが出来る。
【００９８】
指圧効果用用具２ｈｄは、着脱長尺部材１３ｈｋが枕基体６ｈｋに装着された状態で指圧効果用用具２ｈｄの上面を連ねると、寝る人の丈方向にみて略平坦である場合、人体に対する刺激がマイルドになり、長時間連続の使用においても快適な睡眠が得られ好ましい。寝る人の丈方向にみてなだらかな山形である場合、指圧効果が確実になり、過度の刺激もなく好ましい。
【００９９】
本発明の又他の態様として、図１５の断面模式図に示す指圧効果用用具２ｒｄが挙げられる。指圧効果用用具２ｒｄにおいては、長尺部材１２ｒｘ、１２ｒｙ、１２ｒｚ、１２ｒａ、１２ｒｂが基板８ｒ上にこの順で間隔をおいて互いに平行に配置されて指圧効果用用具２ｒｄを構成する。各長尺部材の長手方向は寝る人の丈方向と直交する。
【０１００】
長尺部材１２ｒｘ、１２ｒｙ、１２ｒｚ、１２ｒａ、１２ｒｂはそれぞれ長尺角材１２ｓｘ、１２ｓｙ、１２ｓｚ、１２ｓａ、１２ｓｂを含んでなり、それぞれの上部に弾性部材９ｒＬ、９ｒＲ、９ｒｄ、９ｒａ、９ｒｂを備える。
【０１０１】
弾性部材９ｒＬ、９ｒＲ、９ｒｄ、９ｒａ、９ｒｂは、それぞれが指圧効果用用具２ｒｄの高さ方向に積層された複数の弾性を有する部材（弾性層）で構成されている。弾性部材９ｒＬ、９ｒＲ、９ｒｄ、９ｒａ、９ｒｂは、それぞれが一体に成形されていてもよい。
【０１０２】
弾性部材９ｒＬは第１弾性部材６０１、第２弾性部材６０２が上からこの順に積層されて成る。弾性部材９ｒＲは第１弾性部材６１１、第２弾性部材６１２、第３弾性部材６１３が上からこの順に積層されて成る。弾性部材９ｒｄは第１弾性部材６２１、第２弾性部材６２２、第３弾性部材６２３が上からこの順に積層されて成る。弾性部材９ｒａは第１弾性部材６３１、第２弾性部材６３２、第３弾性部材６３３が上からこの順に積層されて成る。弾性部材９ｒｂは第１弾性部材６４１、第２弾性部材６４２、第３弾性部材６４３が上からこの順に積層されて成る。
【０１０３】
弾性部材の各層がそれぞれ異なる圧縮硬さを有することが好ましい。上方ほど低い圧縮硬さを有することが更に好ましい。長尺角材１２ｓｘ、１２ｓｙ、１２ｓｚ、１２ｓａ、１２ｓｂは金属、樹脂又は木材から成ることが好ましい。木材はヒノキを含むことが芳香を放ち、睡眠時の精神安定効果があり好ましい。長尺角材１２ｓｘ、１２ｓｙ、１２ｓｚ、１２ｓａ、１２ｓｂ、基板８ｒは金属、樹脂又は木材から成ることが好ましい。木材はヒノキを含むことが芳香を放ち、睡眠時の精神安定効果があり好ましい。長尺角材１２ｓｘ、１２ｓｙ、１２ｓｚ、１２ｓａ、１２ｓｂは、硬質の樹脂発泡体から成るものであっても適度な弾性があり好ましい。
【０１０４】
弾性部材９ｒＬの上面は、弾性部材９ｒＲ、９ｒｄ、９ｒａ、９ｒｂのいずれの上面より高い位置にある。弾性部材９ｒＲ、９ｒｄ、９ｒａ、９ｒｂの各上面をこの順に連ねると、寝る人の丈方向にみて略山形の形状をなしている。長尺角材１２ｓｙ、１２ｓｚ、１２ｓａ、１２ｓｂの各上面をこの順に連ねると、寝る人の丈方向にみて略山形の形状をなしていることが好ましい。弾性部材９ｒＲ、９ｒｄ、９ｒａ、９ｒｂの各上面をこの順に連ねた面と、長尺角材１２ｓｙ、１２ｓｚ、１２ｓａ、１２ｓｂの各上面をこの順に連ねた面とは平行であることが好ましい。弾性部材９ｒＲ、９ｒｄ、９ｒａ、９ｒｂは、寝る人の丈方向に張り出していることが頭部との接触面積を増やして好ましい。
【０１０５】
本発明の指圧効果用用具２ｒｄにおいては、長尺部材１２ｒｙが人が就寝したときの首側に位置し、長尺部材１２ｒｘが頭頂側に位置することとなる。
【０１０６】
指圧効果用用具２ｒｄは枕として用いられる。図１６に指圧効果用用具２ｒｄを枕として使用する態様を示す。長尺部材１２ｒａ、１２ｒｚが人の頭部の、頭頂部と首とのあいだの凹部にあてがわれてその部分が適度に刺激されて好ましい。
【０１０７】
指圧効果用用具２ｒｄの各所の寸法あるいは相対値は次に記述の値であることが就寝時の頭部及び首部への適度な刺激にとって好ましい。
長尺角材１２ｓｘの高さＳＭＲ；５〜７ｃｍ
弾性部材９ｒＬの厚さ；０．３〜３ｃｍ
長尺角材１２ｓｙの寝る人の丈方向の幅ＲＷＬ；１〜３ｃｍ
長尺角材１２ｓｘの寝る人の丈方向の幅ＬＷＬ；１〜３ｃｍ
長尺部材１２ｒｘの高さＲＨＴ；７〜１２ｃｍ
長尺部材１２ｒｙの高さＲＨＬ；６〜８ｃｍ
弾性部材９ｒＲ、９ｒｄ、９ｒａ、９ｒｂの各上面をこの順に連ねた面の最高点の高さＲＲＨ；６．５〜８．５ｃｍ
指圧効果用用具２ｒｄの寝る人の丈方向の幅ＰＲＲ；１７〜２１ｃｍ
【０１０８】
長尺部材、例えば長尺部材１２ｒｂは、クッション材１３ｑｑを介して基板８ｒに取り付けられてもよい。長尺部材１２ｒｂにより頭部に適度の刺激が与えられるとともに、クッション材１３ｑｑが、就寝時の頭部への刺激を緩和して快適な寝心地を実現する。
【０１０９】
本発明の更に又他の態様として、図１７の断面模式図に示す指圧効果用用具２ｔｄが挙げられる。指圧効果用用具２ｔｄにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｄを構成する。各長尺部材の長手方向は寝る人の丈方向と直交する。
【０１１０】
長尺部材１２ｔｘ、１２ｔｙ、１２ｔｚ、１２ｔａ、１２ｔｂはそれぞれ長尺角材１２ｖｘ、１２ｖｙ、１２ｖｚ、１２ｖａ、１２ｖｂを含んでなり、それぞれの上部に弾性部材９ｔＬ、９ｔＴ、９ｔｄ、９ｔａ、９ｔｂを備える。
【０１１１】
弾性部材９ｔＬ、９ｔＲ、９ｔｄ、９ｔａ、９ｔｂは、それぞれが指圧効果用用具２ｔｄの高さ方向に積層された複数の弾性を有する部材（弾性層）で構成されている。弾性部材９ｔＬ、９ｔＲ、９ｔｄ、９ｔａ、９ｔｂは、それぞれが一体に成形されていてもよい。弾性部材９ｔＬ、９ｔＲ、９ｔｄ、９ｔａ、９ｔｂは、それぞれが隣接の弾性部材の方向に張り出していることが好ましい。
【０１１２】
弾性部材９ｔＬは第１弾性部材７０１、第２弾性部材７０２が上からこの順に積層されて成る。弾性部材９ｔＲは第１弾性部材７１１、第２弾性部材７１２が上からこの順に積層されて成る。弾性部材９ｔｄは第１弾性部材７２１、第２弾性部材７２２が上からこの順に積層されて成る。弾性部材９ｔａは第１弾性部材７３１、第２弾性部材７３２、薄板部材７７７、第３弾性部材７３３が上からこの順に積層されて成る。弾性部材９ｔｂは第１弾性部材７４１、第２弾性部材７４２が上からこの順に積層されて成る。
【０１１３】
薄板部材７７７は、第２弾性部材７３２と第３弾性部材７３３の間に介在し、弾性部材９ｔａの長手方向中央部に頭部等の荷重を受けたときに、その荷重を受けた部分だけが過剰に凹むことを防止する。これにより、ねごこちが良くなる。薄板部材７７７のような薄板部材を有する弾性部材の構成は、他の弾性部材にも適用され、ねごこちを改善することが出来る。薄板部材は長尺の薄板を複数枚並べて配するのがよいが、１枚の薄板から成るものであってもよい。
【０１１４】
弾性部材は各層がそれぞれ異なる圧縮硬さを有することが好ましい。上方ほど低い圧縮硬さを有することが更に好ましい。長尺角材１２ｖｘ、１２ｖｙ、１２ｖｚ、１２ｖａ、基板８ｔは金属、樹脂又は木材から成ることが好ましい。木材はヒノキを含むことが芳香を放ち、睡眠時の精神安定効果があり好ましい。長尺角材１２ｖｘ、１２ｖｙ、１２ｖｚ、１２ｖａは、硬質の樹脂発泡体から成るものであっても適度な弾性があり好ましい。
【０１１５】
弾性部材９ｔａの上面は、弾性部材９ｔＬ、９ｔｄ、９ｔＲ、９ｔｂのいずれの上面より高い位置にある。弾性部材９ｔＬ、９ｔｂ、９ｔａ、９ｔｄ、９ｔＲの各上面をこの順に連ねると、寝る人の丈方向と平行な方向にみて略山形の形状をなしている。長尺角材１２ｖｘ、１２ｖｙ、１２ｖｚ、１２ｖａ、１２ｖｂの高さは互いにほぼ等しいことが好ましい。長尺角材１２ｖｘ、１２ｖｙ、１２ｖｚ、１２ｖａ、１２ｖｂの幅は互いにほぼ等しいことが好ましい。
【０１１６】
本発明の指圧効果用用具２ｔｄにおいては、長尺部材１２ｔｘが人が就寝したときの首側に位置し、長尺部材１２ｔｙが頭頂側に位置することとなる。
【０１１７】
指圧効果用用具２ｔｄは枕として用いられる。指圧効果用用具２ｔｄの各所の寸法あるいは相対値は次に記述の値であることが就寝時の頭部及び首部への適度な刺激にとって好ましい。
長尺角材１２ｖｘの高さＶＷＲ；２．５〜３．５ｃｍ
長尺角材１２ｖｘの寝る人の丈方向の幅ＶＲＶ；１．５〜３．５ｃｍ
弾性部材９ｔＬの厚さ；１．５〜３．５ｃｍ
長尺部材１２ｔｘの高さＶＭＴ；５．５〜７．５ｃｍ
長尺部材１２ｔｙの高さＶＨＬ；４．５〜６．５ｃｍ
弾性部材９ｔＬ、９ｔｂ、９ｔａ、９ｔｄ、９ｔＲの各上面をこの順に連ねた面の最高点の高さＶＴＨ；６．５〜８．５ｃｍ
指圧効果用用具２ｔｄの寝る人の丈方向の幅ＰＶＶ；１７〜２１ｃｍ
指圧効果用用具２ｔｄの、図面視左端から、長尺角材１２ｖａの寝る人の丈方向にみたセンターまでの距離ＶＬと、図面視右端から、長尺角材１２ｖａの寝る人の丈方向にみたセンターまでの距離ＶＲとの比；１：３〜１：１
【０１１８】
本発明においては、図１８に示すように、各長尺部材がバネ２０１で支承される態様であってもよい。図１８において、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｄを構成する。基板８ｔ上には横長で輪切り断面が凵字形のケーシング２０２が各長尺部材の位置に対応して固定されている。各長尺部材の下端部がケーシング２０２にはめ込まれる。この態様により、各長尺部材が弾性的に上下動可能となり、更に快適な寝心地が得られる。バネを用いたこのような態様は、他の指圧効果用用具の長尺部材にも適用出来る。
【０１１９】
本発明においては、図１９に示す指圧効果用用具２ｔｄｄのように、長尺角材１２ｖｘ、１２ｖｂ、１２ｖａ、１２ｖｚ、１２ｖｙが、各上面をこの順に連ねると、寝る人の丈方向と平行な方向にみて略山形の形状をなしていてもよい。この場合、弾性部材９ｔＬ、９ｔＲ、９ｔｄ、９ｔａ、９ｔｂは同じ厚さであることが好ましい。
【０１２０】
長尺部材は、高さが変更可能であってもよい。例えば、図２０に示すように、長尺角材（１２ｖｘ（図１７、図１９）等）に替えて長尺角材１６ｍｘ、１６ｎｘ等がそれぞれ用いられてもよい。例えば長尺角材１６ｍｘは、基板８の上面に固定されたユニット基礎３０２の上にユニット３０４、３０４及び上部ユニット３０６が重畳され、さらに上部ユニット３０６の上に弾性部材９ｔＲが貼着されてなる。ユニット３０４、３０４はそれぞれ着脱自在であり、選択的に着脱することにより、長尺角材１６ｍｘの高さを変更できる。ユニット基礎３０２及びユニット３０４の上面には自身の長手方向に溝が形成され、ユニット３０４、３０４及び上部ユニット３０６の下面には自身の長手方向に突条が形成され、この溝に対応の突条をはめて長尺角材１６ｍｘの構造を固定する。溝の底には粘着テープ３０７が貼着されており、上下のユニットが粘着テープ３０７を介して接着剥離自在に固定される。この構成で長尺部材は高さが変更可能となる。
【０１２１】
又、長尺角材１２ｖｘ、１２ｖｂ、１２ｖａ、１２ｖｚ、１２ｖｙ（図１７など）は、自身の長手方向と直角方向に移動可能とされ、移動した位置で一時的に固定される構成であってもよい。これにより、各長尺部材間の間隔を好みにあわせて調節できる。例えば、図２１に示すように、基板８ｐｑに長尺角材１２ｖｘに相当する長尺角材１２ｓｓの長手方向と直交して溝３２４が形成され、溝３２４の底にスリット３２２が形成され、長尺角材１２ｓｓの底面に雌螺子孔３２６が形成され、ボルト３２０がスリット３２２を貫通して雌螺子孔３２６に螺合して長尺角材１２ｓｓがボルト３２０により締結される構成であってもよい。図２０、図２１の態様は他の指圧効果用用具の長尺部材にも適用出来る。
【０１２２】
本発明においては、図２２に示す指圧効果用用具２ｔｄｆのように、基板８ｄｆ上に長尺部材１２ｄｆが６個配されていてもよい。本発明の指圧効果用用具においては、長尺部材は５個、６個に限らず３個、４個、７個以上など複数個配されていてもよい。
【０１２３】
本発明においては、図２３に示す指圧効果用用具２ｔｄｇのように、基板８ｄｆ上に複数個（例えば６個）の長尺部材１２ｄｆが配されて、各長尺部材１２ｄｆの構成要素である長尺角材１２ｆｆについて、隣接の長尺角材１２ｆｆの間に補強スペーサ９０ｆｆが基板８ｄｆ上に固定されて配されてもよい。この態様は、長尺角材１２ｆｆが弾性体から成るときに、長尺角材１２ｆｆが倒れるのを防ぎ好ましい。
【０１２４】
長尺部材を併べて設けた枕の好ましい態様の他の一例としては、図４４に示す指圧効果用用具２ｔｘｇが挙げられる。指圧効果用用具２ｔｘｇにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｘｇを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形又は略平坦である。
【０１２５】
長尺部材１２ｔｘ、１２ｔｙ、１２ｔｚ、１２ｔａ、１２ｔｂはそれぞれ長尺角材１２ｖｘ、１２ｖｙ、１２ｖｚ、１２ｖａ、１２ｖｂを含んでなり、それぞれの上部に弾性部材９ｔＬ、９ｔＴ、９ｔｄ、９ｔａ、９ｔｂを備える。
【０１２６】
長尺部材１２ｔｘ、１２ｔｙ、１２ｔａ、１２ｔｂは、長尺角材が木製等の剛体であればそれぞれ幅（人の丈方向）が２０〜２６ｍｍであることが好ましい。発泡樹脂等の弾性体から成るものであれば幅（人の丈方向）が２８〜３２ｍｍであることが好ましい。長尺部材１２ｔｚの幅は３５〜４５ｍｍであることが好ましい。各長尺部材間の間隔は、長尺角材が木製等の剛体であれば９〜１３ｍｍであることが好ましい。長尺角材が発泡樹脂等の弾性体から成るものであれば７〜８ｍｍであることが好ましい。
【０１２７】
弾性部材９ｔＬ、９ｔＲ、９ｔｄ、９ｔａ、９ｔｂは、それぞれが指圧効果用用具２ｔｄの高さ方向に積層された複数層の弾性を有する部材（弾性層）で構成されている。
【０１２８】
弾性部材９ｔＬは第１弾性部材１７０１、第２弾性部材１７０２が上からこの順に積層されて成る。弾性部材９ｔＲは第１弾性部材１７１１、第２弾性部材１７１２が上からこの順に積層されて成る。弾性部材９ｔｄは、段差用弾性部材１１１１、第１弾性部材１７２１、第２弾性部材１７２２、が上からこの順に積層されて成る。弾性部材９ｔａは第１弾性部材１７３１、第２弾性部材１７３２が上からこの順に積層されて成る。弾性部材９ｔｂは第１弾性部材１７４１、第２弾性部材１７４２が上からこの順に積層されて成る。
【０１２９】
図４４における長尺角材は、木材、樹脂又は金属等の剛体から成るものであってもよいが、見かけ密度０．２〜０．９の発泡樹脂から成ることが長時間の使用が可能であり、好ましい。
【０１３０】
発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２、見かけ密度は、０．０２５〜０．１０ｇ／ｃｍ３であることが適度な刺激効果を得るうえで好ましい。発泡樹脂はＥＶＡ系の樹脂の発泡体であることが靭性に優れさらに好ましい。
【０１３１】
図４４における第１弾性部材は、見かけ密度０．００１〜０．０３の発泡樹脂から成ることが身体への刺激をマイルドなものにして好ましい。第２弾性部材は、見かけ密度が第１弾性部材より大きくかつ０．０２５〜０．２の発泡樹脂から成ることが好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．１〜０．８Kｇｆ／ｃｍ２であることが適度な刺激効果を得るうえで好ましい。発泡樹脂はポリエチレン系の樹脂の発泡体であることがクッション性に優れさらに好ましい。
【０１３２】
段差用弾性部材１１１１は、幅が第１弾性部材１７２１より小さく、段差用弾性部材１１１１と第１弾性部材１７２１とで段差１１１２が形成される。段差１１１２の部分が寝た人の頸部の裏側を適度に刺激して血行をよくする。指圧効果用用具２ｔｘｇはこの段差用弾性部材１１１１が配されなくとも有効である。
【０１３３】
長尺部材を併べて設けた枕の好ましい態様の更に他の一例としては、図４５に示す指圧効果用用具２ｔｙｇが挙げられる。指圧効果用用具２ｔｙｇにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｙｇを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形又は略平坦である。
【０１３４】
長尺部材１２ｔｘ、１２ｔｙ、１２ｔｚ、１２ｔａ、１２ｔｂはそれぞれ長尺角材１２ｖｘ、１２ｖｙ、１２ｖｚ、１２ｖａ、１２ｖｂを含んでなり、それぞれの上部に弾性部材９ｔｙＬ、９ｔｙＴ、９ｔｙｄ、９ｔｙａ、９ｔｙｂを備える。
【０１３５】
図４５においても、長尺部材１２ｔｘ、１２ｔｙ、１２ｔａ、１２ｔｂは、長尺角材が木製等の剛体であればそれぞれ幅（人の丈方向）が２０〜２６ｍｍであることが好ましい。発泡樹脂等の弾性体から成るものであれば幅（人の丈方向）が２８〜３２ｍｍであることが好ましい。長尺部材１２ｔｚの幅は３５〜４５ｍｍであることが好ましい。各長尺部材間の間隔は、長尺角材が木製等の剛体であれば９〜１３ｍｍであることが好ましい。長尺角材が発泡樹脂等の弾性体から成るものであれば７〜８ｍｍであることが好ましい。
【０１３６】
弾性部材９ｔｙＬ、９ｔｙＴ、９ｔｙｄ、９ｔｙａ、９ｔｙｂは、それぞれが高さ方向に積層された複数層の弾性を有する部材（弾性層）で構成され中間層として長尺板部材６４が設けられている。長尺板部材６４は弾性部材９ｔｙｄのみに配されていてもよい。弾性部材９ｔｙｄは、段差用弾性部材１１１１が最上面に積層されている。弾性部材９ｔｙＬ、９ｔｙＴ、９ｔｙｄ、９ｔｙａ、９ｔｙｂのそれぞれの単層の厚さＬ５Ｍは、５〜１０ｍｍが好ましい。
【０１３７】
段差用弾性部材１１１１は、弾性部材９ｔｙｄの上面に両面粘着接着テープ等を介して着脱可能に貼着されていることが好ましい。
【０１３８】
図４５における長尺角材は、木材、樹脂又は金属等の剛体から成るものであってもよい。木材としてはひのきがいやし効果があり好ましい。長尺角材は、見かけ密度０．２〜０．９の発泡樹脂から成ることが長時間の使用が可能であり、更に好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１３９】
図４５における弾性部材は、０．０２５〜０．２の発泡樹脂から成ることが好ましい。段差用弾性部材１１１１は、幅が弾性部材９ｔｙｄより小さく、段差用弾性部材１１１１と弾性部材９ｔｙｄとで段差１１１２が形成される。段差１１１２の部分が寝た人の頸部の裏側を適度に刺激して血行をよくする。段差１１１２における段差用弾性部材１１１１の高さＴＭＨは５〜１５ｍｍが好ましい。段差１１１２における段が降りたところの面１１１４の幅ＬＭＭは５〜１５ｍｍが好ましい。１２〜１３ｍｍであることが更に好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜１．５Kｇｆ／ｃｍ２であることが適度な刺激効果を得るうえで好ましい。発泡樹脂はポリエチレン系の樹脂の発泡体であることがクッション性に優れさらに好ましい。
【０１４０】
長尺部材を併べて設けた枕の好ましい態様の又更に他の一例として、図４６に示す指圧効果用用具２ｔｚｇが挙げられる。指圧効果用用具２ｔｚｇにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｚｇを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形である。
【０１４１】
長尺部材１２ｔｘ、１２ｔｙ、１２ｔｚ、１２ｔａ、１２ｔｂはそれぞれ見かけ密度０．２〜０．９の発泡樹脂から成る。長尺部材１２ｔｘ、１２ｔｙ、１２ｔａ、１２ｔｂはそれぞれ幅（人の丈方向）が２８〜３２ｍｍであることが好ましい。長尺部材１２ｔｚの幅は３５〜４５ｍｍであることが好ましい。各長尺部材間の間隔は７〜１３ｍｍであることが好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１４２】
長尺部材１２ｔｚは、段差用弾性部材（短幅長尺弾性部材）１１１１が最上面に積層されている。段差用弾性部材１１１１は、幅が長尺部材１２ｔｚより小さく、段差用弾性部材１１１１と長尺部材１２ｔｚとで段差１１１２が形成される。段差１１１２の部分が寝た人の頸部の裏側を適度に刺激して血行をよくする。段差用弾性部材１１１１は、上層の薄い第一弾性部材１１３０と、下層の第二弾性部材１１３２とから構成される。第一弾性部材１１３０は見かけ密度０．０１５〜０．２の発泡樹脂から成ることが適度なクッション性を与え好ましい。第二弾性部材１１３２は見かけ密度０．０２〜０．９の発泡樹脂から成ることが適度なクッション性と刺激を与え好ましい。段差１１１２における段が降りたところの面１１３６には、見かけ密度０．０１５〜０．２の発泡樹脂から成るシート状の第三弾性部材１１４０が貼着されていることが適度なクッション性を与え好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜１．５Kｇｆ／ｃｍ２であることが適度な刺激効果を得るうえで好ましい。発泡樹脂はポリエチレン系の樹脂の発泡体であることがクッション性に優れさらに好ましい。
【０１４３】
長尺部材を併べて設けた枕の好ましい態様の他の一例としては、図４７に示す指圧効果用用具２ｔｘｈが挙げられる。指圧効果用用具２ｔｘｈにおいては、長尺部材１２ｔｘ、１２ｔｙ、１２ｔｚ、１２ｔａ、１２ｔｂが基板８ｔにこの順で間隔をおいて互いに平行に配置されて指圧効果用用具２ｔｘｈを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形である。
【０１４４】
長尺部材１２ｔｘ、１２ｔｙ、１２ｔｚ、１２ｔａ、１２ｔｂはそれぞれ長尺角材１２ｖｘ、１２ｖｙ、１２ｖｚ、１２ｖａ、１２ｖｂを含んでなり、それぞれの上部に弾性部材９ｔＬ、９ｔＴ、９ｔｄ、９ｔａ、９ｔｂを備える。
【０１４５】
長尺部材１２ｔｘ、１２ｔｙ、１２ｔａ、１２ｔｂは、長尺角材が木製等の剛体であればそれぞれ幅（人の丈方向）が２０〜２６ｍｍであることが好ましい。発泡樹脂等の弾性体から成るものであれば幅（人の丈方向）が２８〜３２ｍｍであることが好ましい。長尺部材１２ｔｚの幅は３５〜４５ｍｍであることが好ましい。各長尺部材間の間隔は、長尺角材が木製等の剛体であれば９〜１３ｍｍであることが好ましい。長尺角材が発泡樹脂等の弾性体から成るものであれば７〜８ｍｍであることが好ましい。
【０１４６】
弾性部材９ｔＬ、９ｔＲ、９ｔａ、９ｔｂは、それぞれが見かけ密度０．０１５〜０．３の１層又は高さ方向に積層された多層の発泡樹脂から成る。弾性部材９ｔｄは、高さ方向に積層された見かけ密度０．０１５〜０．３の複数層の弾性部材で構成され中間層として長尺板部材６４が設けられている。長尺板部材６４はなくともよい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜１．５Kｇｆ／ｃｍ２であることが適度な刺激効果を得るうえで好ましい。発泡樹脂はポリエチレン系の樹脂の発泡体であることがクッション性に優れさらに好ましい。
【０１４７】
弾性部材９ｔＬ、９ｔＲ、９ｔｄ、９ｔａ、９ｔｂはそれぞれがレザーあるいは人工レザー系のシート１１４２で少なくとも側面が被覆されている。上面も同時に被覆されていることが好ましい。この被覆により、弾性部材が下方へ圧縮されたとき、横方向へのはみ出しが少なくなり、弾性部材の適度の弾性が確保され好ましい。
【０１４８】
図４７における長尺角材は、木材、樹脂又は金属等の剛体から成るものであってもよいが、見かけ密度０．２〜０．９の発泡樹脂から成ることが長時間の使用が可能であり、好ましい。長尺角材１２ｖｘ、１２ｖｙ、１２ｖｚ、１２ｖａ、１２ｖｂが剛体から成る場合は、身体への刺激効果が短時間で得られる。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１４９】
長尺部材１２ｔｚは、見かけ密度０．０２〜０．９の発泡樹脂から成る段差用弾性部材１１１１が最上面に積層されている。段差用弾性部材１１１１は、幅が長尺部材１２ｔｚより小さく、段差用弾性部材１１１１と長尺部材１２ｔｚとで段差１１１２が形成される。段差１１１２の部分が寝た人の頸部の裏側を適度に刺激して血行をよくする。
【０１５０】
長尺部材を併べて設けた枕の好ましい態様の他の一例としては、図４８に示す指圧効果用用具２ｇｇｇが挙げられる。指圧効果用用具２ｇｇｇおいては、長尺部材１２ｔｘｇｇ、１２ｔｙｇｇ、１２ｔｚｇｇ、１２ｔａｇｇ、１２ｔｂｇｇが基板８ｔにこの順で間隔をおいて互いに平行に配置されて指圧効果用用具２ｇｇｇを構成する。各長尺部材の長手方向は寝る人の丈方向と直交し、長尺部材１２ｔｘｇｇ、１２ｔｙｇｇ、１２ｔｚｇｇ、１２ｔａｇｇ、１２ｔｂｇｇの上面をこの丈方向に連ねた面が略山形又は略平坦である。
【０１５１】
長尺部材１２ｔｘｇｇ、１２ｔｙｇｇ、１２ｔｚｇｇ、１２ｔａｇｇ、１２ｔｂｇｇはそれぞれ下から長尺高密度発泡樹脂材１２ｖｘｇ、長尺低密度発泡樹脂材１２ｖｙｇから成る２層構造を形成している。更に、長尺部材１２ｔｚｇｇの最上層として、段差用弾性部材１１１１の層が形成されている。
【０１５２】
長尺部材１２ｔｘｇｇ、１２ｔｙｇｇ、１２ｔａｇｇ、１２ｔｂｇｇはそれぞれ幅（人の丈方向）が２８〜３２ｍｍであることが好ましい。長尺部材１２ｔｚｇｇの幅は３５〜４５ｍｍであることが好ましい。各長尺部材間の間隔は７〜１２ｍｍであることが好ましい。但し、長尺部材１２ｔａｇｇと長尺部材１２ｔｂｇｇとの間隔は５〜１０ｍｍであることが好ましい。
【０１５３】
各長尺部材はそれぞれがシートで少なくとも側面が被覆されていてもよい。この被覆により、弾性部材が下方へ圧縮されたとき、横方向へのはみ出しが少なくなり、長尺部材の適度の弾性が確保され好ましい。
【０１５４】
図４８における長尺高密度発泡樹脂材１２ｖｘｇは、木材、樹脂又は金属等の剛体角材で置き換えられてもよい。
【０１５５】
長尺部材１２ｔｚｇは、見かけ密度０．０２〜０．９の発泡樹脂から成る段差用弾性部材１１１１が最上面に積層されている。段差用弾性部材１１１１は、幅が長尺部材１２ｔｚより小さく、段差用弾性部材１１１１と長尺部材１２ｔｚとで段差１１１２が形成される。段差１１１２の部分が寝た人の頸部の裏側を適度に刺激して血行をよくする。
【０１５６】
指圧効果用用具２ｇｇｇ、指圧効果用用具２ｔｘｈｇのような、長尺部材が列配されてなる指圧効果用用具においては、隣接の長尺部材の間の隙間に、その隙間を埋めるように、弾性板部材２００８が充填されていてもよい。この態様の一例を図４９に示す。弾性板部材２００８は、その両側の長尺部材のうちの高さの低い長尺部材の上面のレベルまで充填される。
【０１５７】
弾性板部材２００８は、見かけ密度０．０２〜０．２の発泡樹脂から成ることが好ましい。発泡樹脂は例えばポリウレタン系、ポリオレフィン系、ポリエステル系、ポリエーテル系、合成ゴム系、ＥＶＡ系等の樹脂の発泡体であることが好ましく、ＰＥ系樹脂であることが適度な刺激効果を得るうえで好ましい。
【０１５８】
このような、隣接の長尺部材の間の隙間に弾性板部材２００８が充填された態様の指圧効果用用具においては、各長尺部材が見かけ密度０．０２〜０．２のＰＥ系樹脂発泡樹脂から成ることが更に好ましい。
【０１５９】
長尺部材を併べて設けた枕の好ましい態様の更に他の一例としては、図５０に示す指圧効果用用具２ｔｘｑが挙げられる。指圧効果用用具２ｔｘｑにおいては、長尺部材１２ｔｘ、１２ｔｙ、１２ｔｚ、１２ｔａ、１２ｔｂ、１２ｔｃが基板８ｔにこの順で互いに平行に配置されて指圧効果用用具２ｔｘｑを構成する。各長尺部材の長手方向は寝る人の丈方向と直交し、長尺部材１２ｔｘ、１２ｔｙ、１２ｔｚ、１２ｔａ、１２ｔｂ、１２ｔｃの上面をこの丈方向に連ねた面が略山形である。
【０１６０】
長尺部材１２ｔｘ、１２ｔｙ、１２ｔｚ、１２ｔａ、１２ｔｂ、１２ｔｃはそれぞれ長尺角材１２ｖｘ、１２ｖｙ、１２ｖｚ、１２ｖａ、１２ｖｂ、１２ｖｃを含んでなり、それぞれの上部に弾性部材９ｔＬ、９ｔＴ、９ｔｄ、９ｔａ、９ｔｂ、９ｔｃを備える。
【０１６１】
長尺部材１２ｔｘ、１２ｔｙ、１２ｔａ、１２ｔｂ、１２ｔｃはそれぞれ幅（人の丈方向）が２８〜４５ｍｍであることが好ましい。長尺部材１２ｔｚの幅は３０〜４５ｍｍであることが好ましい。隣接の長尺部材は互いにほぼ接している。隣接の長尺部材が互いに連接している態様も可能であるが、隣接の長尺部材が互いにほぼ接しているほうが、各長尺部材が圧縮に対して独立に変形挙動しやすく使用者の頭部への刺激がかたよらず好ましい。
【０１６２】
弾性部材９ｔｄは、段差用弾性部材１１１１、主弾性部材１９２１が上からこの順に積層されて成る。段差用弾性部材１１１１は、幅が主弾性部材１９２１より小さく、段差用弾性部材１１１１と主弾性部材１９２１とで段差１１１２が形成される。段差１１１２の部分が寝た人の頸部の裏側を適度に刺激して血行をよくする。
【０１６３】
図５０における長尺角材は、木材、樹脂又は金属等の剛体から成るものであってもよいが、見かけ密度０．２〜０．９の発泡樹脂から成ることが長時間の使用が可能であり、好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２、見かけ密度は、０．０２５〜０．１０ｇ／ｃｍ３であることが適度な刺激効果を得るうえで好ましい。発泡樹脂はＥＶＡ系の樹脂の発泡体であることが靭性に優れさらに好ましい。
【０１６４】
弾性部材は、見かけ密度０．００１〜０．０３の発泡樹脂から成ることが身体への刺激をマイルドなものにして好ましい。発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．１〜０．８Kｇｆ／ｃｍ２であることが適度な刺激効果を得るうえで好ましい。発泡樹脂はポリエチレン系の樹脂の発泡体であることがクッション性に優れさらに好ましい。
【０１６５】
弾性部材はそれぞれが独立のシート１１４２で上面が被覆されていることが好ましい。この被覆により弾性部材の上面の使用時の耐摩耗性が向上する。
【０１６６】
長尺部材を併べて設けた枕の好ましい態様の別の一例として、図５１に示す指圧効果用用具２ｔｚｋが挙げられる。指圧効果用用具２ｔｚｋにおいては、長尺部材１２ｔｘ、１２ｔｙ、１２ｔｚ、１２ｔａ、１２ｔｂが成形体８８８ｔに形成された溝にこの順で間隔をおいて互いに平行に下端部を嵌めこまれ配置されて指圧効果用用具２ｔｚｋを構成する。各長尺部材の長手方向は寝る人の丈方向と直交し、長尺部材１２ｔｘ、１２ｔｙ、１２ｔｚ、１２ｔａ、１２ｔｂの上面をこの丈方向に連ねた面が略山形又は略平坦である。
【０１６７】
長尺部材１２ｔｘ、１２ｔｙ、１２ｔｚ、１２ｔａ、１２ｔは、見かけ密度０．２〜０．９の発泡樹脂から成り、上面に見かけ密度０．０１５〜０．３の発泡樹脂からなり、かつ長尺部材より見かけ密度の低いクッション層１１６０を備える。長尺部材を構成する発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１６８】
クッション層１１６０を構成する発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜１．５Kｇｆ／ｃｍ２であることが適度な刺激効果を得るうえで好ましい。発泡樹脂はポリエチレン系の樹脂の発泡体であることがクッション性に優れさらに好ましい。
【０１６９】
成形体８８８ｔは樹脂、又は見かけ密度０．２〜０．９の発泡樹脂を金型を用いて成形して得られる。
【０１７０】
長尺部材を併べて設けた枕の好ましい態様の更に別の一例として、図５２に示す指圧効果用用具２ｔｚｍが挙げられる。指圧効果用用具２ｔｚｍにおいては、長尺部材１２ｔｘ、１２ｔｙ、１２ｔｚ、１２ｔａ、１２ｔｂが下端部で連接された成形体８８９ｔに形成されて、基板８ｔと貼り合わされて成る。各長尺部材は上面に長尺部材より見かけ密度の低いクッション層１１６０を備える。成形体８８９ｔは見かけ密度０．２〜０．９の発泡樹脂を金型を用いて成形して得られる。
【０１７１】
長尺部材を併べて設けた枕の好ましい態様の又更に別の一例として、図５３に示す指圧効果用用具２ｔｚｎが挙げられる。指圧効果用用具２ｔｚｎにおいては、長尺部材１２ｔｘ、１２ｔｙ、１２ｔｚ、１２ｔａ、１２ｔｂが下端部で連接された成形体８９０ｔに形成されて、基板８ｔと貼り合わされて成る。各長尺部材は上面に長尺部材より見かけ密度の低いクッション層を備えてもよい。成形体８９０ｔは見かけ密度０．２〜０．９の発泡樹脂を金型を用いて成形して得られる。長尺部材１２ｔｚは上面に段差１１６４が形成されている。
【０１７２】
図５１〜図５３に示す態様は複雑な形状が１工程の金型による成形で得られるので製造コストの軽減がなされ好ましい。
【０１７３】
枕として使用する本発明の指圧効果用用具の他の態様においては、図５４の指圧効果用用具２ｐｘｘのように基板８ｔ上に枕クッション体１１５０が固定され、更に、枕クッション体１１５０の上面の寝る人の丈方向に関する中間部に、１個の長尺弾性部材１１５２が長手方向をその方向と直交させて配置されている。枕クッション体１１５０は見かけ密度０．２〜０．９の発泡樹脂から成り、上面が寝る人の丈方向に関して略山形又は略平坦をなしている。枕クッション体１１５０は高さが５〜１５ｃｍ、使用時の人の丈方向の縦幅が１５〜３０ｃｍ、横幅が３０〜１２０ｃｍである。長尺弾性部材１１５２の寝る人の丈方向の幅は１〜８ｃｍであることが好ましい。２〜４ｃｍであることが更に好ましい。長尺弾性部材１１５２の厚さは５〜１５ｍｍであることが好ましい。枕クッション体１１５０を構成する発泡樹脂は例えばポリウレタン系、ポリオレフィン系、ポリエステル系、ポリエーテル系、合成ゴム系、ＥＶＡ系等の樹脂の発泡体であることが好ましく、その圧縮硬さは、０．２〜３．５Kｇｆ／ｃｍ２であることが適度な刺激効果を得るうえで好ましい。発泡樹脂はＥＶＡ系の樹脂の発泡体であることが靭性に優れさらに好ましい。
【０１７４】
図５５に示すように、枕として使用する本発明の更に他の態様の指圧効果用用具２ｐｘ１のように、枕クッション体は、上面に寝る人の丈方向に関して複数の段差がある枕クッション体１１５４であってもよい。
【０１７５】
本発明の枕として使用する本発明の又更に他の態様においては、図５６に示す指圧効果用用具２ｐｘ２のように、枕クッション体１１５４ａが、見かけ密度０．０１５〜０．３の長尺発泡樹脂体１１７４が縦横にレンガを積み上げるように重畳され配列された長尺発泡樹脂集合体１１５４ａから成るものであってもよい。長尺発泡樹脂集合体１１５４ａは長尺発泡樹脂体１１７４を重畳してなる長尺重畳ブロック体８４ａ、８４ｂ、８４ｃ、８４ｄ、８４ｅ、８４ｆが、長手方向を枕を使用する人の丈方向と直交する方向に平行にして隣接の長尺重畳ブロック体同士をほぼ密着させて基板８ｔ上に配される。枕クッション体１１５４ａの上面は全体として図５５の枕クッション体１１５４の上面のように山形をなしている。各長尺重畳ブロック体は、一体の発泡樹脂体から成るものであってもよい。
【０１７６】
指圧効果用用具２ｔｄに装着する着脱長尺部材の他の態様の一例を図２４に示す。図２４において、着脱長尺部材１３ｍｄは、長尺基板１４ｍｄと、長尺基板１４ｍｄの上面に配された弾性部材１６ｍｄと、長尺基板１４ｍｄの幅方向の片辺から垂下する挿入板２１ｍｄと、スペーサ２２ｍｄとから構成される。弾性部材１６ｍｄは第１弾性部材９１ｍ、第２弾性部材９２ｍ、第３弾性部材９３ｍが上からこの順に積層されて成る。弾性部材１６ｍｄは第１弾性部材９１ｍ、第２弾性部材９２ｍ、第３弾性部材９３ｍが一体に成形されたものであってもよい。弾性部材１６ｍｄは長尺基板１４ｍｄの辺から図面視左右にそれぞれ張り出している。
【０１７７】
着脱長尺部材１３ｍｄは、長手方向を長尺部材１２ｍｚの長手方向と平行にして、長尺部材１２ｔａに載置され支承される。スペーサ２２ｍｄは、長尺基板１４ｍｄが水平に配置されるよう、長尺部材１２ｔｂの上面に載置される。挿入板２１ｍｄは、長尺部材１２ｔｂと長尺部材１２ｔｚとの間の隙間に差し込まれる。図２５（ａ）に着脱長尺部材１３ｍｄの斜視模式図を示す。
【０１７８】
図２５（ｂ）に示すように、３個の長尺角型材４５２ｇが長手方向を使用する人の丈方向と直交させて着脱長尺部材１３ｍｍｇの上面に備えることによりさらに指圧効果が高まる。着脱長尺部材１３ｍｍｇの下面に弾性板１０００が貼着されて緩衝の役目をはたしてもよい。長尺角型材４５２ｇは発泡樹脂から成る上層１００２と、下層の薄板１００３から成ることが好ましい。
【０１７９】
1個、２個又は、４個以上の長尺角型材４５２ｇが着脱長尺部材１３ｍｍｇの上面に備えられてもよい。長尺角型材４５２ｇは発泡樹脂から成る上層１００２と、下層の薄板（板骨層）１００３から成ることが好ましい。下層の薄板（板骨層）１００３は、金属、樹脂又は木材から成る。長尺角型材４５２ｇが複数個着脱長尺部材１３ｍｍｇの上面に備えられる場合は、長尺角型材４５２ｇの断面幅は１４〜１６ｍｍであることが好ましい。高さは９〜１１ｍｍであることが好ましい。薄板（板骨層）１００３の厚さは２〜３ｍｍであることが好ましい。上層１００２の厚さは６〜７ｍｍであることが好ましい。
【０１８０】
着脱長尺部材４５０ｇには木製の角材から成る長尺角型材４５２ｇが上面の好ましくは中央に１個配されていてもよい。長尺角型材４５２ｇが上面に１個配される場合は、長尺角型材４５２ｇは木製角材であることが好ましく、その幅は２．５〜４ｃｍ、高さは２．５〜３．５ｃｍであることが好ましい。この態様は、短時間の使用によりコリの解消に有効である。長尺角型材４５２ｇは外断面形状が正方形であってもよい。矩形であってもよい。この角材は外断面形状でみてかどが面取りされて丸められている形状であってもよい。この角材は樹脂製であってもよい。
【０１８１】
着脱長尺部材１３ｔｄ、１３ｍｄは、指圧効果用用具２ｔｄの他に指圧効果用用具２ｒｄ、２ｔｇｄ、２ｔｄｆ、２ｔｄｄ、２ｗｄ、２ｗｄｄ、２ｒｄ、２ｐｘ２、２ｔｘｑに好適に適用出来る。又、図５６に示す指圧効果用用具２ｐｘ２に対して、隣接の長尺重畳ブロック体同士の境界１１８４に挿入されて用いることが出来る。
【０１８２】
本発明の他の態様を説明する。図２６の側面模式図及び図２７の斜視模式図に示す本発明の指圧効果用用具２ｈは一般の枕６８の上面に、裏面６５を下にして敷いて用いるものであり、基布６０と、基布６０の表面６７上に長手方向を寝る人の丈方向と直角方向にして列設された、複数の長尺弾性部材６２とから構成される。最前列（人の頭部の頭頂側）に位置する長尺弾性部材６２ａ及び最後列に位置する長尺弾性部材６２ｂは、それぞれ長尺板部材６４を介して前記基布に結合されている。中間の列に位置する長尺弾性部材６２ｃは直接に基布６０に接合されている。指圧効果用用具２ｈの幅ＷＰ（図２７）は下に置かれる枕の、寝る人の丈方向と直角方向の長さとほぼ等しい。
【０１８３】
枕６８の上面に敷いて用いられた指圧効果用用具２ｈは、就寝時に、人の頭部の後頭筋や、首部の半棘筋、板状筋、僧帽筋等を適度に線状に刺激し、血行を良くして体の調子を良くする効果がある。又、隣接の長尺弾性部材６２の間には、就寝時に頭や首部に当接しない部位ができ、この部分では血液の流れが妨げられない。長尺板部材６４が人の頭部への刺激の程度を高め、人の頭部の頭頂に近い部位及び首部が集中的に刺激されるので更に効果的なマッサージ効果をもたらす。なお、枕６８は通常の枕より高さが２０〜４０％低いことが好ましい。
【０１８４】
長尺板部材６４の素材としては、木、竹、樹脂、繊維強化樹脂が好ましい。長尺弾性部材６２の素材としては、樹脂製のスポンジが好ましい。長尺板部材６４の厚さＩＴは１〜４ｍｍが適度の刺激を与えるうえで好ましい。長尺弾性部材６２の厚さＨＳは１０〜２５ｍｍが適度の刺激を与えるうえで好ましい。長尺弾性部材６２の幅ＷＳは２０〜３０ｍｍが適度の刺激を与えるうえで好ましい。
【０１８５】
枕と併用で用いられる本発明の更に別の望ましい態様として、図２８（ａ）の側面模式図に示すように、高さ及び硬さの異なる長尺弾性部材が基布６０の上面に長手方向を寝る人の丈方向と直角方向にして列設されてもよい。図２８（ａ）に示す本発明の指圧効果用用具２ｈｗｗにおいては、長尺弾性部材７３ａ１、７３ａ２、７３ａ３、７３ａ４、７３ａ５がこの順に寝る人の丈方向に５〜１０ｍｍの間隔で配される。長尺部材７３ａ２の幅は３５〜４５ｍｍであることが好ましい。長尺弾性部材７３ａ３、７３ａ４は長尺高密度発泡樹脂材１２ｖｘｇ、長尺低密度発泡樹脂材１２ｖｙｇが下からこの順に積層されてなる。長尺弾性部材７３ａ１、７３ａ２、７３ａ５は長尺板部材６４、長尺高密度発泡樹脂材１２ｖｘｇ、長尺低密度発泡樹脂材１２ｖｙｇが下からこの順に積層されてなる。長尺弾性部材７３ａ２の上面には段差用弾性部材１１１１が備えられ、段差１１１２が形成される。各長尺弾性部材は長尺高密度発泡樹脂材１２ｖｘｇと長尺低密度発泡樹脂材１２ｖｙｇとをあわせたサイズの長尺高密度発泡樹脂材から成るものであってもよい。
【０１８６】
長尺弾性部材７３ａ１、７３ａ２、７３ａ５はそれぞれ基布６０の上面に重畳された板骨層６４を介して基布６０と結合されていることが好ましい。
【０１８７】
又、図２８（ｂ）に示す指圧効果用用具２ｈｗｎのように、指圧効果用用具２ｈｗｗの隣接の各長尺弾性部材の間の隙間を埋めて、長尺高密度発泡樹脂材１２ｖｘｇより高さの低い充填長尺部材１２ｆｆｆが配された態様であってもよい。これにより、使用時の各長尺弾性部材のぐらつきが防止される。
【０１８８】
図２８（ｃ）に示す図２８（ｂ）の上面図のように、充填長尺部材１２ｆｆｆが長尺弾性部材の長手方向に間歇的に配されてもよい。
【０１８９】
本発明の更に他の態様を説明する。図２９（ａ）の斜視模式図に示す本発明の指圧効果用用具２ｉは枕として構成されており、枕体７０と、枕体７０の上面に長手方向を寝る人の丈方向と直角方向にして列設された一対の長尺弾性部材７２とで構成されている。枕体７０は、枕体７０の両脇部に配され互いに不図示の連結部材を介して剛に連結された固定板７２、７２と上面体８０とで構成されている。上面体８０は、複数のユニット板７４が線状部材７６（図３１）を介して面状を成すように連結されて成り、上面体８０が固定板７２、７２の間に架け渡されて枕体７０の上面部を構成する。なお、このような上面体８０の構造は、枕体７０の全周面にわたって採用されている。即ち、周壁が上面体８０の構造を有する筒状体８２が、固定板７２、７２の間に架け渡されて筒状体８２の各周縁と固定板７２とが連結して、枕体７０の周面を構成する。枕体７０の上面と長尺弾性部材７２とは接着剤等により接合されていることが好ましいが、線状部材７６を利用して枕体７０と長尺弾性部材７２が糸で括られてもよい。長尺弾性部材７２は３個以上列状に配されてもよいが、３個列状に配されていることが最も好ましい。
【０１９０】
図２９（ｂ）に示すように、他の態様においては、図２９（ａ）の枕体７０と同様のユニット板７４の組み合わせ構造の枕状体７０ｉｉが、長尺弾性部材７２により作られたような凸条にかえて、ユニット板７４の高さを高くしたユニット板７４ｂで形成された凸条７５ｈを有する圧効果用用具２ｉｉであってもよい。即ち、高さを高くしたユニット板７４ｂを列状に枕状体７０ｉｉの用いる人の丈方向と直角方向に配することにより、凸条７５ｈが図２９（ａ）の長尺弾性部材７２による凸条と同様の方向に形成される。凸条７５ｈは３列以上配されてもよいが、互いに間隔をおいて３列状に配されていることが最も好ましい。
【０１９１】
長尺弾性部材７２の高さＨＢは、１５〜２５ｍｍであることが頭部への適度な刺激効果を得るうえで好ましい。長尺弾性部材７２の幅ＷＢは、１５〜２５ｍｍであることが頭部への適度な刺激効果を得るうえで好ましい。長尺弾性部材７２、７２間の間隔ＤＢは、１５〜２５ｃｍであることが適度な刺激効果を得るうえで好ましく、１８〜２３ｃｍであることが更に好ましい。
【０１９２】
本発明においては、弾性部材９ｐＬ、９ｐＲ、９ｐｄ、９ｐａ、９ｐｂ、９ｐｃ、弾性部材９ｈＬ、９ｈＲ、９ｈｃ、弾性部材９ｒＬ、９ｒＲ、９ｒｄ、９ｒａ、９ｒｂ、弾性部材９ｔＬ、９ｔＲ、９ｔｄ、９ｔａ、９ｔｂ、長尺弾性部材６２、長尺弾性部材７２は例えばポリウレタン系、ポリオレフィン系、ポリエステル系、ポリエーテル系、合成ゴム系、ＥＶＡ系等の樹脂の発泡体から成ることが好ましく、その圧縮硬さは、０．２〜３．５Kｇｆ／ｃｍ２、見かけ密度は、０．０２５〜０．１０ｇ／ｃｍ３であることが適度な刺激効果を得るうえで好ましい。
【０１９３】
枕体７０の上面に配される長尺弾性部材７２は２個に限定されない。３個であってもよい。４又は５個であってもよい。
【０１９４】
更に、本発明の指圧効果用用具は、図３０（ａ）の側面模式図に示すように、枕体７０の上面に長手方向を寝る人の丈方向と直角方向にして間隔をおいて見かけ密度０．０１５〜０．３の長尺発泡樹脂体１１７４を列設した指圧効果用用具２ｉｉｉであってもよい。但し、図面視右から２番目の長尺発泡樹脂体１１７４と図面視右から３番目の長尺発泡樹脂体１１７４とは近接して配される。長尺発泡樹脂体１１７４は図面視寝る人の丈方向にみて左から１個、３個、２個、１個、１個が配される。図面視右から２番目の長尺発泡樹脂体１１７４の位置には３個の長尺発泡樹脂体１１７４が重畳されて長尺重畳ブロック体８４ｈとして、図面視右から３番目の長尺発泡樹脂体１１７４の位置には２個の長尺発泡樹脂体１１７４が重畳されて長尺重畳ブロック体８４ｊとして配される。
【０１９５】
図３０（ａ）における長尺発泡樹脂体１１７４により作られたような凸条にかえて、図２９（ｂ）に示すと同様の態様でユニット板７４の高さを高くしたユニット板７４ｃ、７４ｄ、７４ｅで形成された凸条７５ｊ、７５ｋ、７５ｍを有する圧効果用用具２ｉｉｉｉであってもよい。
【０１９６】
又、図３０（ｃ）に示すように、高さ及び硬さの異なる長尺弾性部材が枕体７０の上面に長手方向を寝る人の丈方向と直角方向にして列設されてもよい。図３０（ｃ）においては、長尺弾性部材７２ａ１、７２ａ２、７２ａ３、７２ａ４がこの順に寝る人の丈方向に７〜８ｍｍの間隔で配される。各長尺弾性部材は長尺高密度発泡樹脂材１２ｖｘｇ、長尺低密度発泡樹脂材１２ｖｙｇが下からこの順に積層されてなる。各長尺弾性部材は長尺高密度発泡樹脂材１２ｖｘｇと長尺低密度発泡樹脂材１２ｖｙｇとをあわせたサイズの長尺高密度発泡樹脂材から成るものであってもよい。
【０１９７】
更に、長尺弾性部材７２ａ３は、最上層に段差用弾性部材１１１１を備える。段差用弾性部材１１１１は、幅が長尺弾性部材７２ａ３の長尺低密度発泡樹脂材１２ｖｙｇより小さく、段差用弾性部材１１１１と長尺弾性部材７２ａ３の長尺低密度発泡樹脂材１２ｖｙｇとで段差１１１２が形成される。段差１１１２の部分が寝た人の頸部の裏側を適度に刺激して血行をよくする。長尺弾性部材７２ａ３は点線ＡＬの位置で縦の切れ目で左右に分割されていてもよい。
【０１９８】
図３１に、上面体８０の構造を示す。図３１（ａ）は上面体８０の平面図、図３１（ｂ）はＢ−Ｂ´方向の断面図、図３１（ｂ）はＣ−Ｃ´方向の断面図である。上面体８０は、ユニット板７４が面状に集合して、線状部材７６及び帯部材７８を介して連結されている。各ユニット板７４には上面体８０の面と平行方向の縦方向に一対の貫通孔７７が平行に形成されている。縦方向に連なるユニット板７４の縦に連らなる貫通孔を、１本の線状部材７６が連らねて挿通している。このように縦に連らなる貫通孔ごとに線状部材７６が挿通され、複数の線状部材７６が長手方向を縦に平行に列状に配置される。帯部材７８は可撓性の樹脂製である。
【０１９９】
一方、横方向に連なるユニット板の一の横列と、その一の横列に隣接する他の横列との間の間隙に、帯部材７８が配されている。帯部材７８には、長手方向に沿って孔８８が形成され、各線状部材７６を挿通させている。これにより、線状部材７６が帯部材７８を介して結合される。
【０２００】
更に、本発明においては、図３２に示す指圧効果用用具２ｆが敷物として構成され、指圧効果用用具２ｆは自動車の座席等の椅子に敷いて用いることが出来る。図３２（ａ）に示すように、指圧効果用用具２ｆは互いに略等間隔に平行に配された棒状部材３０ｆが両端部それぞれで帯状物から成る連結部材３２ｆにより連結されている。図３２（ｂ）の断面図に示すように、指圧効果用用具２ｆは、真っ直ぐな帯状の連結部材３２ｆの片面に棒状部材３０ｆの上面３４ｆが貼り付けられている。又、補助連結部材３３ｆが棒状部材３０ｆを一部巻いて連結部材３２ｆに貼り付けられている。指圧効果用用具２ｆは、真っ直ぐな帯状の連結部材３２ｆが配されている表側３９ｆが人体と当接する側である。
【０２０１】
上面３４ｆには長尺の弾性部材が貼着されていてもよい。この弾性部材は幅が棒状部材３０ｆの幅ＷＦとほぼ同じで、棒状部材３０ｆの全長にわたって上面３４ｆに貼着される。この弾性部材の厚さは２〜５ｍｍが好ましい。この態様はこの長尺の弾性部材が貼着されていない指圧効果用用具２ｆと同様に用いることが出来る、腰痛の緩和に有効である。この弾性部材は発泡樹脂、弾性樹脂あるいは不織布等を素材とすることが出来るが、発泡樹脂を素材とすることが好ましい。
【０２０２】
図３２（ｃ）の断面図に示すように、表側３９ｆに配される帯状の連結部材３２ｆは、棒状部材３０ｆを上面３４ｆから側面にかけてわずかに巻き込んで連結部材３２ｆに貼り付けられていてもよい。
【０２０３】
図３４に示すように、指圧効果用用具２ｆの上面にクッション性シート３３が設けられて、クッション付きの指圧効果用用具２ｇが構成される。クッション性シート３３には、各棒状部材３０ｆの間の間隙に対応して、その間隙の上部の位置に、棒状部材３０ｆの長手方向に沿ってスリット９２が設けられていることが好ましい。スリット９２を設けることにより、各棒状部材３０ｆが拘束されずに動くので、各棒状部材３０ｆが体にフィットして万遍なく体を刺激する。クッション性シート３３が厚さ約５ｍｍ以下の薄いシートである場合は、スリット９２がない態様であっても指圧効果がある。
【０２０４】
クッション性シート３３は、フェルトや不織布から成るものであってもよい。中入れ綿のシートを側地ではさんでキルトしたキルティング地から成るものであってもよい。側地に中入れ綿やスポンジや不織布等の詰め物を詰めた薄い布団状のものであってもよい。厚い布から成るものであってもよい。クッションシート３３は、その他衝撃を和らげるシートから成るものであれば素材は問わない。
【０２０５】
クッション性シート３３として嵩高の不織布が用いられることが好ましい。この不織布は３〜１５ｄｔｅｘの合成繊維がバインダで結合されてなることが適度な弾性を発揮して好ましい。
【０２０６】
クッション性シート３３の厚さは２〜１５ｍｍであることが好ましい。指圧効果用用具２ｆが座面に配されて太ももに連なる部分の刺激に使用される場合は特に、スリット９２の幅（スリット９２により形成される隙間の幅）が２ｍｍ以下で、クッション性シート３３の厚さは５〜１０ｍｍであることが更に好ましい。
【０２０７】
他の態様として、指圧効果用用具２ｆにおいて、クッション性シート３３が、各棒状部材３０ｆの片側だけでなく、各棒状部材３０ｆを挟んでその両側に配されていてもよい。
【０２０８】
指圧効果用用具２ｆが背もたれに配されて背中の刺激に使用される場合は特に、スリット９２の幅が４〜６ｍｍであることが好ましい。又、クッション性シート３３の厚さは４〜６ｍｍであることが好ましい。
【０２０９】
又、指圧効果用用具２ｇは、図５７の断面模式図に示すように、各棒状部材３０ｆとクッション性シート３３との間に１枚の可撓性シート３６ｋｔが介在し、かつ隣接の棒状部材３０ｆ同士が可撓性シート３６ｋｔを介して連結されている構造が安定し好ましい。
【０２１０】
又、図５８の断面図に示すように、各棒状部材３０ｆと、対応のクッション性シート３３とはひとまとめでシート状物３４ｓで被覆されることが好ましい。これにより、クッション性シート３３が外力で圧縮された場合、そのクッション性シート３３が圧縮方向と直交する両方向に極端にはみ出すことがなくなり、その圧縮によりシート状物３４ｓに張力がかかって圧縮に対する反力となり、指圧効果用用具２ｇの反撥性が向上し好ましい。
【０２１１】
図３５（ａ）に示すように、本発明の指圧効果用用具２ｆあるいはクッション付きの指圧効果用用具２ｇは、棒状部材３０ｆの先端部が配列している１の縁部９４（先端縁部）の位置を、椅子５０の座面部５４の先端にほぼそろえて、座面部５４の上面に敷く。即ち、棒状部材３０ｆはその長手方向を人の丈方向にして用いられる。これにより、棒状部材３０ｆの先端部が配列している他の縁部９５（後端縁部）の位置と、座面５４の最後部５７（座面５５における背もたれ５２の付け根）との間に略１０〜１５ｃｍの隙間ができ、この位置に露出された座面５８ができる。
【０２１２】
図３５（ｂ）は，図３５（ａ）の状態を上面からみた上面模式図である。本発明の指圧効果用用具２ｆあるいは指圧効果用用具２ｇは、片足の大腿部と臀部の大腿部に連なる一部の下に敷いて用いられることが好ましい。
【０２１３】
本発明の指圧効果用用具２ｆあるいは指圧効果用用具２ｇは、例えば、左右の片足の大腿部と臀部の大腿部に連なる一部の下に３０分ないし１時間ずつ交互に敷いて用いられる。このように、一方の足がわであまり長時間にわたって使用せずに、所定の時間だけ一方の足がわで使用した後、他方の足がわで使用することが好ましい。
【０２１４】
座面部５４はクッション性を有することが好ましい。座面部５４がクッション性を有しない場合は、座面部５４と、指圧効果用用具２ｆあるいはクッション付きの指圧効果用用具２ｇとの間に厚い座布団のようなクッションシートを介在させることが好ましい。
【０２１５】
更に、本発明の指圧効果用用具２ｆあるいは指圧効果用用具２ｇは、椅子の背もたれと使用する人の背中の間に挟んだ状態で用いられる。この場合、背中の左右いずれかのがわに挟んだ状態で用いられることが好ましい。背中の左右に１ないし２時間ずつ交互に敷いて用いられることが更に好ましい。このように、一方のがわであまり長時間にわたって使用せずに、所定の時間だけ一方のがわで使用した後、他方の足がわで使用することが好ましい。又、背中の中央部のみに指圧効果用用具２ｆあるいは指圧効果用用具２ｇを位置させて背中と背もたれとで挟持して使用してもよい。
【０２１６】
指圧効果用用具２ｆあるいは指圧効果用用具２ｇは、自動車の座席の座面あるいは背もたれに配して使用されることが好ましい。自動車の座席は絶えず微振動しているのでこの振動により指圧効果用用具２ｆあるいは指圧効果用用具２ｇによる刺激効果が増幅され、効果的な刺激を身体に与える。
【０２１７】
指圧効果用用具２ｆあるいは指圧効果用用具２ｇは、上面視で外形が矩形や正方形であってもよいが、円形や楕円形、長円形、卵形等であってもよい。
【０２１８】
図３２において、指圧効果用用具２ｆの長さＬＦは、２０〜３５ｃｍであることが好ましい。２５〜３０ｃｍであることが脚にフィットして更に好ましい。各棒状部材３０ｆの間の間隙ＰＦは１５〜２５ｍｍであることが、指圧効果を与えるべき部位への適度な刺激効果を得るうえで好ましい。指圧効果用用具２ｆの幅ＷＷは、１０〜３０ｃｍであることが好ましい。１８〜２５ｃｍであることが片足に安定して刺激を与えるうえで更に好ましい。
【０２１９】
棒状部材３０ｆは断面が正方形であってもよいが、矩形であってもよい。円形、楕円形、蒲鉾形等丸みを帯びた形であってもよい。この断面形状は使用する人の体調やコリの程度に応じて選択される。棒状部材３０ｆの断面については、図３３（ａ）に示すように、上面３７側（体側）が平坦で、下面３５側（椅子の座面側）が外側に凸な弧状であることが、指圧効果を与えるべき部位への適度な刺激効果を得るうえで更に好ましい。棒状部材３０ｆ等の棒状部材の幅ＷＦは、１２〜１８ｍｍであることが好ましい。１４〜１６ｍｍであることが指圧効果を与えるべき部位への適度な刺激効果を得るうえで更に好ましい。棒状部材３０ｆ等の棒状部材の厚さＴＦは、２〜１８ｍｍであることが、指圧効果を与えるべき部位への適度な刺激効果を得るうえで更に好ましい。
【０２２０】
又、棒状部材３０ｆの他の好ましい断面形状としては、図３３（ｂ）に示すように、上面３７ｂ側（体側）が平坦で、下面３５ｂ側（椅子５０の座面側）が外側に凸な弧状であり、かつ上面３７ｂ側の縁４９が面取りされているものが挙げられる。図３３（ｂ）において、棒状部材３０ｆの幅ＷＦ１は、１４〜２０ｍｍであることが、指圧効果を与えるべき部位への適度な刺激効果を得るうえで好ましい。１３ｍｍから１７ｍｍであることがその効果を得るうえで更に好ましい。棒状部材３０ｆの厚さＴＦ１は、１０〜１８ｍｍであることが、指圧効果を与えるべき部位への適度な刺激効果を得るうえで好ましい。
【０２２１】
帯状部材３２ｆは織物やフィルムを含むテープ状物であることが好ましい。合成又は天然の皮革を含むテープ状物であってもよい。棒状部材３０ｆの素材としては、木、竹、樹脂、繊維強化樹脂等の剛な素材が好ましい。
【０２２２】
椅子５０は、座面部５４がクッション性を有することが必要である。座面部５４が硬くてクッション性を有しない場合は、座面部５４の上にクッション性を有する座布団等のクッション性を有する敷物を敷くことが必要である。
【０２２３】
図３５に示すこのような態様で指圧効果用用具２ｆやクッション付きの指圧効果用用具２ｇを使用すると、ももの裏側の付け根や、骨盤の下方の筋肉の指圧効果を与えるべき部位が適度に刺激されて、骨盤の下方の人体の奥の部分の血管が刺激されて血行が良くなる。これにより、催しものの観覧、事務、乗り物に乗った時、家庭等において長時間にわたり椅子にかけかけたときの腰や脚の痺れ、腰痛の発生などが抑制される。
【０２２４】
特に、ももの裏側の指圧効果を与えるべき部位が適度に刺激されて血行を良くして、運転時に過度に腰が痛くなったり脚や腰が痺れることが防げる。これは、ももの裏側の付け根や、骨盤の下方の筋肉の指圧効果を与えるべき部位が適度に刺激されて、骨盤の下方の人体の奥の部分の血管の血行が良くなるためと思われる。
【０２２５】
又、飛行機の座席に指圧効果用用具２ｆやクッション付きの指圧効果用用具２ｇを設置すれば、長期にわたり窮屈な姿勢をとらされても、ももの裏側の指圧効果を与えるべき部位が適度に刺激されて血行を良くして、脚のだるさが軽減され、かつ、脚の血行障害に起因するといわれる所謂エコノミー症候群の予防に寄与可能である。
【０２２６】
更に、オフィスの椅子に本発明の指圧効果用用具２ｆやクッション付きの指圧効果用用具２ｇを設置すれば、長期にわたり座って事務作業やパソコン作業等の作業を継続しても、ももの裏側の指圧効果を与えるべき部位が適度に刺激されて血行を良くして、脚のだるさが軽減され、脚がつったり痺れたりするトラブルを減少させることが出来る。
【０２２７】
本発明の又更に別の望ましい態様として、図３４に示す指圧効果用用具２ｇを一の敷物部１２ｇとし、その側部に板状クッション体１３ｇから成る他の敷物部１４ｇが連結された複合指圧効果用用具２ｋが挙げられる（図３６）。
【０２２８】
複合指圧効果用用具２ｋが自動車の座席に敷かれて使用される好ましい位置を図３７に示す。図３７においては、一の敷物部１２ｇが片方の大腿部と臀部の該大腿部に連なる一部分の下に敷かれ、他の敷物部（敷物）１４ｇが他方の大腿部と臀部の該大腿部に連なる一部分の下に敷かれる。
【０２２９】
指圧効果用用具２ｋにおいても、指圧効果用用具２ｇの部分は図３５（ａ）に示す態様で座席に敷かれる。即ち、棒状部材３０ｆの先端部が配列している１の縁部９４（先端縁部）の位置を、椅子５０の座面部５４の先端にほぼそろえて、座面部５４の上面に敷く。又、棒状部材３０ｆはその長手方向を人の丈方向にして用いられる。これにより、棒状部材３０ｆの先端部が配列している他の縁部９５（後端縁部）の位置と、座面５４の最後部５７（座面５５における背もたれ５２の付け根）との間に略１０〜１５ｃｍの隙間ができ、この位置に露出された座面５８ができる。
【０２３０】
図３４に示す指圧効果用用具２ｇは、更に異なった使用の態様で、人体への優れた指圧効果をもたらすことが出来る。即ち、図５９に示すように、指圧効果用用具２ｇを椅子５０ｘの座面に載置し、人が椅子５０ｘに懸けたときに大腿部から尻にかけた部分の下に指圧効果用用具２ｇがくるように敷く。このとき、指圧効果用用具２ｇの対向する一対の側縁３５０のそれぞれが、平面視で大腿部の中心線上に位置するようにする。又、一対の側縁３５０に直交の一の側縁３５２が肛門の直下をよこぎるように位置する。人と指圧効果用用具２ｇとが図５９に示すこのような位置関係をほぼ実現するとき、人が椅子５０ｘに所定の時間懸けたときに血行が促進され、骨盤の深部の血流をよくして元気になる。
【０２３１】
図５９に示す態様で用いられる指圧効果用用具２ｇは、用いる人の指圧される部位に応じて敷く位置を図５９に示す位置から任意の距離ずらして用いても有効である。
【０２３２】
図５９に示す使用の態様に用いられる指圧効果用用具２ｇとしては、ＬＦ（図３２）に相当する、棒状部材３０ｆの長手方向の長さが２５〜３０ｃｍであることが好ましい。２７〜２８．５ｃｍであることが更に好ましい。又、ＷＷ（図３２）に相当する、棒状部材３０ｆの長手方向と直交方向の長さが１８〜３０ｃｍであることが好ましい。１９〜２７ｃｍであることが更に好ましい。棒状部材３０ｆの幅は１３〜１７ｃｍであることが好ましい。棒状部材３０ｆの厚さは幅と略同じであることが好ましい。但し、幅が１４〜１６ｃｍである場合は、厚さが２〜１２ｍｍであっても好ましい。
【０２３３】
指圧効果用用具２ｇは、棒状部材３０ｆの長手方向と平行な折り目で、２つ折りもしくは多重折りして高さを使用する人にあわせて枕として使用出来る。この場合、クッション性シート３３の側が表面にくるように折られることが好ましい。指圧効果用用具２ｇは巻き体状に巻いてを枕として使用することも出来る。
【０２３４】
指圧効果用用具２ｋ、２ｚも、棒状部材の長手方向と平行な折り目で、２つ折りもしくは多重折りして高さを使用する人にあわせて枕として使用出来る。これらの指圧効果用用具は巻き体状に巻いてを枕として使用することも出来る。
【０２３５】
本発明の他の態様を図３８に示す。図３８の複合指圧効果用用具２ｚは、簾部１００とマット部１０２の互いの縁部が接合されて構成される。マット部１０２は、薄い蒲団、厚めのシーツ、毛布等の、やわらかい敷物で構成される。簾部１００は図３９に示すように、複数の棒状部材３０を備え、棒状部材３０は平行に互いに隙間をあけて簾状に配され、隣接の棒状部材３０同士が可撓性の連結部材３２を介して連結されている。図４０に図３９のＣ−Ｃ´方向の部分拡大断面図を示す。棒状部材３０同士が連結部材３２を介して連結されている。連結部材３２は、一対の可撓性の帯状部材３４から成る。一対の帯状部材３４は、互いに重ねられ、棒状部材３０の長手方向と直角に配され、棒状部材３０の存在する位置で、帯状部材３４により棒状部材３０が挟まれている。一対の帯状部材３４同士の当接面、及び、棒状部材３０と帯状部材３４との当接面には、不図示の接着剤が介在して、帯状部材３４同士、及び、棒状部材３０と帯状部材３４とが接着されている。
【０２３６】
又、他の連結の態様として、一枚の帯状部材の片面に棒状部材３０をその帯状部材の長手方向と直角に配して接着したものであってもよい。
【０２３７】
棒状部材３０は、図４１の断面図で示すように、表面が、棒状部材３０の素材よりも柔らかい素材から成る樹脂等の被覆層４３で被覆されていることが好ましい。これにより、人体への刺激が緩和されて、過度の刺激により臓器に障害をもたらすことが防止される。被覆層は布から成るものもしくは布を含んで成るものであってもよい。粘着テープのように片面に接着層を備えるシートが棒状部材３０に巻かれて成るものであってもよい。
【０２３８】
帯状部材３４は織物やフィルムを含むテープ状物であることが好ましい。合成又は天然の皮革を含むテープ状物であってもよい。
【０２３９】
複合指圧効果用用具２ｚは、図４２に示すように、図３９に示す棒状部材３０の長手方向を人の丈方向に平行にして、敷き布団１０４の上面等の人が横たわる面の上に、人の腰部から腿部にかけての位置に載置する。このような位置に載置された複合指圧効果用用具２ｚの上に人が臥すことにより、人の腰部から腿部にかけての指圧効果を与えるべき部位が適度に刺激されて血行を良くして体の調子を良くする。又、長期の使用によりヒップアップの効果が得られる。
【０２４０】
複合指圧効果用用具２ｚの半分が簾部１００で構成されているので、片足の腿部から腰部からにかけての部分が棒状部材３０により刺激される。複合指圧効果用用具２ｚの全面が簾部１００で構成されて、両方の腿部から腰部からにかけての部分が同時に棒状部材３０により刺激されると、刺激が過度になることがある。
【０２４１】
図４２に示す態様においては、簾部１００は、人のベルトの位置より下の位置に敷かれることが好ましい。
【０２４２】
簾部１００（図３９）を構成する棒状部材３０が可撓性の連結部材３２を介して連結されているので、簾部１００が体の形状にフィットしつつ、剛性を有する個々の棒状部材３０により指圧効果を与えるべき部位が刺激される。従って、体が万遍なく均一にかつ適度の強さで刺激される。この刺激により、本発明の簾部１００は血行を促進し、かつ腰痛の緩和に効果がある。更に、腰部から腿部にかけて万遍なく均一にかつ適度の強さでマッサージされるのと同様の効果がある。
【０２４３】
棒状部材３０は、簾部１００が図４２に示すような態様で用いられる場合、曲げられたときにその曲げによる変形が弾性回復することが、万遍なく均一に指圧効果を与えるべき部位を刺激する効果、血行の促進、腰痛の治癒効果、万遍なく均一なマッサージ効果のうえで好ましい。
【０２４４】
簾部１００が図４２に示すような態様で用いられる場合、棒状部材３０の長さＬＢ（図３９）は、３０〜５０ｃｍであることが好ましい。棒状部材３０は断面が矩形であってもよい。円形、楕円形、蒲鉾形等丸みを帯びた形であってもよい。
【０２４５】
簾部１００が図４２に示すような態様で用いられる場合、棒状部材３０の厚さが８〜１６ｍｍの場合は、棒状部材３０の幅ＷＢは１４〜１６ｍｍであることが適度の指圧効果を与えるべき部位への刺激効果を得るうえで好ましい。隣接の棒状部材の間の間隔ＰＢは、１６〜２３ｍｍであることが、指圧効果を与えるべき部位への適度の刺激効果を得るうえで好ましい。１７〜２０ｍｍであることが更に好ましい。
【０２４６】
連結部材３２の幅ＢＷは、３７〜４２ｍｍであることが指圧効果を与えるべき部位への適度の刺激効果を得るうえで好ましい。隣接の連結部材の間の間隔ＢＫは３５〜４０ｍｍであることが指圧効果を与えるべき部位への適度の刺激効果を得るうえで好ましい。
【０２４７】
このような態様で使用される複合指圧効果用用具２ｚは、腰痛を緩和する効果があり、又、血行が促進される。
【０２４８】
なお、本発明の複合指圧効果用用具２ｚ、複合指圧効果用用具２ｋは、棒状部材３０あるいは３０ｆの長手方向を巻軸方向としてロール状に無芯であるいは茶筒のような筒体を芯として巻取ることが出来、あるいは、棒状部材３０あるいは３０ｆの長手方向を折り目として折りたたむことが出来るので、携帯時にかさばらず、携帯に便利である。
【０２４９】
なお、本発明の図１、図７をはじめとする各種の態様の指圧効果用用具や基体部２ｘｚ１の構成要素である長尺部材（長尺部材１２、長尺部材１２ｐｋ、長尺部材１２ｐｂ、長尺部材１２ａ、長尺部材１２ｒｘｚ、等々）は、前述のように木、樹脂等の剛な部材を主体に構成されてもよいが、マイルドな刺激を得るためには比較的高密度の発泡樹脂のような弾性体で構成されてもよい。
【０２５０】
以上本発明の指圧効果用用具の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【０２５１】
例えば図４３に示すように、枕として使用される本発明の各種態様の指圧効果用用具は基体の下面に着脱自在に高さ調節板９０ｔｔｙを備えてもよい。又、枕として使用される本発明の各種態様の指圧効果用用具は、例えば、基板８を人の丈方向に外側に延長して安定化を計ってもよい。
【図面の簡単な説明】
【０２５２】
【図１】本発明の指圧効果用用具の斜視図である。
【図２】図１の指圧効果用用具が使用される状態を示す側面模式図である。
【図３】図３（ａ）は、図１の指圧効果用用具に用いられる枕基体のＡ−Ａ´方向の断面図である。図３（ｂ）は、図３（ａ）と異なる態様の枕基体の断面図である。
【図４】図４（ａ）は、本発明における他の態様の枕基体を示す断面模式図、図４（ｂ）は図４（ａ）と異なる態様の枕基体を示す断面模式図、図４（ｃ）は図４（ｂ）と異なる態様の枕基体を示す断面模式図である。
【図５】枕基体の他の態様の一例を示す断面図である。
【図６】本発明の指圧効果用用具の他の態様の一例を示す断面図である。
【図７】本発明の指圧効果用用具の更に他の態様の一例を示す断面模式図である。
【図８】図７の指圧効果用用具の、着脱長尺部材を着脱する状態を示す要部斜視模式図である。
【図９】図７に示す指圧効果用用具と同様の用途に用いられ、図７に示す指圧効果用用具とは異なる態様の本発明の指圧効果用用具の一例を示す断面模式図である。
【図１０】図９に示す指圧効果用用具を使用する状態を示す側面模式図である。
【図１１】着脱長尺部材の下にスペーサが設置された態様の一例を示す側面模式図である。
【図１２】着脱長尺部材の下に設置するスペーサの態様の一例を示す斜視模式図であり、図１２（ａ）、図１２（ｂ）はそれぞれ異なる態様である。
【図１３】図９に示す指圧効果用用具とは異なる態様の本発明の指圧効果用用具の一例を示す断面模式図である。
【図１４】枕として用いられる本発明の指圧効果用用具の別の態様の構成を示す側面模式図である。
【図１５】枕として用いられる図１４とは異なる態様の本発明の指圧効果用用具の構成を示す断面模式図である。
【図１６】図１５に示す指圧効果用用具を使用する状態を示す側面模式図である。
【図１７】枕として用いられる図１５とは異なる態様の本発明の指圧効果用用具の構成を示す断面模式図である。
【図１８】枕として用いられる図１７とは異なる態様の本発明の指圧効果用用具の構成を示す側面模式図である。
【図１９】枕として用いられる図１７とは異なる態様の本発明の指圧効果用用具の構成を示す断面模式図である。
【図２０】高さが変更可能な長尺部材の態様を説明する側面模式図である。
【図２１】間隔が変更可能な長尺部材の態様を説明する図であり、図２１（ａ）は側面模式図、図２１（ｂ）は正面要部模式図である。
【図２２】枕として用いられる図１７とは異なる他の態様の本発明の指圧効果用用具の構成を示す側面模式図である。
【図２３】枕として用いられる図２２とは異なる他の態様の本発明の指圧効果用用具の構成を示す側面模式図である。
【図２４】枕として用いられる他の態様の本発明の指圧効果用用具の構成を示す側面模式図である。
【図２５】図２４に示す指圧効果用用具に用いられる着脱長尺部材の構成の一例を示す斜視模式図である。
【図２６】本発明の他の態様の指圧効果用用具を枕に使用する態様を示す側面模式図である。
【図２７】図２６の態様で使用される本発明の指圧効果用用具の他の態様の一例を示す斜視模式図である。
【図２８】図２８（ａ）は図２７とは異なる態様の指圧効果用用具の側面模式図である。図２８（ｂ）は図２８（ａ）とは異なる態様の指圧効果用用具の側面模式図である。図２８（ｃ）は図２８（ｂ）の上面模式図である。
【図２９】図２９（ａ）は本発明の更に他の態様の指圧効果用用具の一例を示す斜視模式図であり、図２９（ｂ）は図２９（ａ）と異なる態様の指圧効果用用具の一例を示す斜視模式図である。
【図３０】本発明の更に別の態様の指圧効果用用具の一例を示す側面模式図であり、図３０（ａ）、図３０（ｂ）、図３０（ｃ）はそれぞれ態様が異なる。
【図３１】図２９（ａ）において用いられる枕体の上面体の構成を示し、図３１（ａ）は平面図、図３１（ｂ）は図３１（ａ）のＢ−Ｂ´方向の断面図、図３１（ｃ）は図３１（ａ）のC−C´方向の断面図である。
【図３２】図３２（ａ）は本発明の指圧効果用用具の又他の態様を示す平面模式図である。図３２（ｂ）は図３２（ａ）に示す指圧効果用用具の断面模式図である。図３２（ｃ）は図３２（ｂ）に示す指圧効果用用具とは異なる態様の指圧効果用用具の断面模式図である。
【図３３】図３３（ａ）は、図３２に示す指圧効果用用具に用いられる棒状部材の断面を示す断面図である。図３３（ｂ）は、図３３（ａ）とは異なる態様の断面を示す断面図である。
【図３４】図３２とは異なる態様の本発明の複合指圧効果用用具を示す斜視模式図である。
【図３５】図３２、図３４に示す本発明の指圧効果用用具を座席に敷いて使用する状態を示す説明図であり、図３５（ａ）は側面模式図、図３５（ｂ）は上面模式図である。
【図３６】本発明の指圧効果用用具の別の態様の一例を示す斜視模式図である。
【図３７】図３６に示す本発明の指圧効果用用具を座席に敷いて使用する状態を説明する上面模式図である。
【図３８】本発明の更に他の態様の複合指圧効果用用具を示す上面図である。
【図３９】図３８の複合指圧効果用用具の簾部の構成を示す説明図である。
【図４０】図３９のＣ−Ｃ´方向の部分拡大断面図である。
【図４１】図４０に示す棒状部材の断面図である。
【図４２】図３８に示す本発明の複合指圧効果用用具を敷き布団の上面等の人が横たわる面の上に敷いて用いる状態を示す上面模式図である。
【図４３】枕として用いられる本発明の指圧効果用用具の図２４とは異なる態様の一例を示す側面模式図である。
【図４４】本発明の指圧効果用用具の他の態様の一例を示す側面模式図である。
【図４５】本発明の指圧効果用用具の図４４とは異なる態様の一例を示す側面模式図である。
【図４６】本発明の指圧効果用用具の図４５とは異なる態様の一例を示す側面模式図である。
【図４７】本発明の指圧効果用用具の図４６とは異なる態様の一例を示す側面模式図である。
【図４８】本発明の指圧効果用用具の図５０とは異なる態様の一例を示す側面模式図である。
【図４９】本発明の指圧効果用用具の図４８とは異なる態様の一例を示す側面模式図である。
【図５０】本発明の指圧効果用用具の図４７とは異なる態様の一例を示す側面模式図である。
【図５１】枕として使用される本発明の指圧効果用用具の図５６とは異なる態様の一例を示す断面模式図である。
【図５２】枕として使用される本発明の指圧効果用用具の図５１とは異なる態様の一例を示す断面模式図である。
【図５３】枕として使用される本発明の指圧効果用用具の図５２とは異なる態様の一例を示す断面模式図である。
【図５４】枕として使用される本発明の指圧効果用用具の別の態様の一例を示す断面模式図である。
【図５５】枕として使用される本発明の指圧効果用用具の図５４とは異なる態様の一例を示す断面模式図である。
【図５６】枕として使用される本発明の指圧効果用用具の図５５とは異なる態様の一例を示す断面模式図である。
【図５７】本発明の指圧効果用用具の又他の態様の一例を示す断面模式図である。
【図５８】本発明の指圧効果用用具の構成要素である棒状部材３０ｆとクッション性シートとがひとまとめでシート状物で被覆された状態を示す断面模式図である。
【図５９】図３４に示す本発明の指圧効果用用具を座席に敷いて使用する状態を説明する上面模式図である。
【符号の説明】
【０２５３】
２、２ａ、２ｂ、２ｆ、２ｇ、２ｈ、２ｉ、２ｐｄ、２ｎｐ、２ｎｐ５、２ｒｄ、２ｔｄ、２ｗｄ、２ｔｄｄ、２ｔｄｆ、２ｔｄｇ、２ｈｄ、２ｈｈ：指圧効果用用具
２ｋ：複合指圧効果用用具
８、８ｆ、８ｐ、８ｒ、８ｔ、８ｈ、８ｄｆ、８ｎｐ、８ｎｐ２、８ｎｐ３、８ｎｐ４、８ｎｐ５、８ｘｚ：基板
９ａ、９ｐＬ、９ｐｃ、９ｐｄ、９ｐＲ、９ｒＬ、９ｒｂ、９ｒａ、９ｒｄ、９ｒＲ、９ｔＬ、９ｔｂ、９ｔａ、９ｔｄ、９ｔＲ、９ｐｃ、９ｈＬ、９ｈｃ、９ｈＲ、１６ｔｄ、１６ｍｄ：弾性部材
１２、１２ｐｘ、１２ｐｂ、１２ａ、１２ｐｚ、１２ｐｙ、１２ｒｘ、１２ｒｂ、１２ｒａ、１２ｒｚ、１２ｒｙ、１２ｔｘ、１２ｔｂ、１２ｔａ、１２ｔｚ、１２ｔｙ、１２ｄｆ、１２ｈｘ、１２ｈｙ、１２ｘｚ、１２ｘｚ２１、１２ｘｚ２２、１２ｘｚ２３、１２ｓｘｚ、１２ｒｘｚ：長尺部材
１４ｇ：敷物
３０ｆ：棒状部材
３２ｆ：連結部材
５０：椅子
５４：座面部
６０：基布
６２：長尺弾性部材
６４：長尺板部材
７０：枕体
７２：固定板
７４：ユニット板
７６：線状部材
８０：上面体
【図１】
2005007142.tif 000003
【図２】
2005007142.tif 000004
【図３】
2005007142.tif 000005
【図４】
2005007142.tif 000006
【図５】
2005007142.tif 000007
【図６】
2005007142.tif 000008
【図７】
2005007142.tif 000009
【図８】
2005007142.tif 000010
【図９】
2005007142.tif 000011
【図１０】
2005007142.tif 000012
【図１１】
2005007142.tif 000013
【図１２】
2005007142.tif 000014
【図１３】
2005007142.tif 000015
【図１４】
2005007142.tif 000016
【図１５】
2005007142.tif 000017
【図１６】
2005007142.tif 000018
【図１７】
2005007142.tif 000019
【図１８】
2005007142.tif 000020
【図１９】
2005007142.tif 000021
【図２０】
2005007142.tif 000022
【図２１】
2005007142.tif 000023
【図２２】
2005007142.tif 000024
【図２３】
2005007142.tif 000025
【図２４】
2005007142.tif 000026
【図２５】
2005007142.tif 000027
【図２６】
2005007142.tif 000028
【図２７】
2005007142.tif 000029
【図２８】
2005007142.tif 000030
【図２９】
2005007142.tif 000031
【図３０】
2005007142.tif 000032
【図３１】
2005007142.tif 000033
【図３２】
2005007142.tif 000034
【図３３】
2005007142.tif 000035
【図３４】
2005007142.tif 000036
【図３５】
2005007142.tif 000037
【図３６】
2005007142.tif 000038
【図３７】
2005007142.tif 000039
【図３８】
2005007142.tif 000040
【図３９】
2005007142.tif 000041
【図４０】
2005007142.tif 000042
【図４１】
2005007142.tif 000043
【図４２】
2005007142.tif 000044
【図４３】
2005007142.tif 000045
【図４４】
2005007142.tif 000046
【図４５】
2005007142.tif 000047
【図４６】
2005007142.tif 000048
【図４７】
2005007142.tif 000049
【図４８】
2005007142.tif 000050
【図４９】
2005007142.tif 000051
【図５０】
2005007142.tif 000052
【図５１】
2005007142.tif 000053
【図５２】
2005007142.tif 000054
【図５３】
2005007142.tif 000055
【図５４】
2005007142.tif 000056
【図５５】
2005007142.tif 000057
【図５６】
2005007142.tif 000058
【図５７】
2005007142.tif 000059
【図５８】
2005007142.tif 000060
【図５９】
2005007142.tif 000061